(57)【要約】【課題】  本発明は、バストの下部側の人体の体に馴染むように変形でき、及びバストの身体中心側及び腋下側を確実に保持（保形）できるカップ部用樹脂ワイヤー、及びカップ部付き衣類を提供することにある。【解決手段】  バストを覆うカップ部に装着される樹脂ワイヤーは、中央下底部、身体中心側立部及び腋下側立部を有する。中央下底部は、人体の体温未満の温度以上において、形状記憶した形状から変形する性質を有する第１のポリウレタン系形状記憶樹脂にて形成される。身体中心側立部及び腋下側立部は、人体の温度を超える温度未満において、形状記憶した形状に維持する性質を有する第２のポリウレタン系形状記憶樹脂にて形成される。樹脂ワイヤーは、第１及び第２のポリウレタン系形状記憶樹脂にて、中央下底部、身体中心側立部及び腋下側立部を一体に結合して形成される。【選択図】  図１
2020200556.tif 000002
【特許請求の範囲】
【請求項１】
バストを覆うカップ部に装着され、
前記バストの下部側に配置される中央下底部と、
前記バストの身体中心側に配置される身体中心側立部と、
前記バストの腋下側に配置される腋下側立部と、
を有し、
２種類の第１及び第２のポリウレタン系形状記憶樹脂にて形成されるカップ部用樹脂ワイヤーであって、
前記第１のポリウレタン系形状記憶樹脂は、
人体の体温未満の温度以上において、形状記憶した形状から変形する性質を有し、
前記第２のポリウレタン系形状記憶樹脂は、
人体の体温を超える温度未満において、形状記憶した形状を維持する性質を有し、
前記中央下底部は、
前記バストの下部側に沿った形状に形状記憶された前記第１のポリウレタン系形状記憶樹脂にて形成され、
前記身体中心側立部は、
前記中央下底部の身体中心側の端部において、前記第１のポリウレタン系形状記憶樹脂に一体に結合され、及び前記バストの身体中心側に沿った形状に形状記憶された前記第２のポリウレタン系形状記憶樹脂にて形成され、
前記腋下側立部は、
前記中央下底部の腋下側の端部において、前記第１のポリウレタン系形状記憶樹脂に一体に結合され、及び前記バストの腋下側に沿った形状に形状記憶された前記第２のポリウレタン系形状記憶樹脂にて形成される
ことを特徴とするカップ部用樹脂ワイヤー。
【請求項２】
前記第１のポリウレタン系形状記憶樹脂は、
人体の体温未満の第１ガラス転移温度を有し、
前記第２のポリウレタン系形状記憶樹脂は、
人体の体温を超える第２ガラス転移温度を有する
ことを特徴とする請求項１に記載のカップ部用樹脂ワイヤー。
【請求項３】
前記第１のポリウレタン系形状記憶樹脂は、
動的粘弾性測定において、損失正接が極大値を示す損失正接の第１ガラス転移温度を有し、人体の温度未満の温度から損失正接の第１ガラス転移温度の間において、温度上昇に伴って、複素弾性率の貯蔵弾性率を徐々低下させる性質を有し、
前記第２のポリウレタン系形状記憶樹脂は、
動的粘弾性測定において、損失正接が極大値を示す損失正接の第２ガラス転移温度を有し、人体の体温及び損失正接の第２ガラス転移温度の間の温度であって、人体の体温を超える温度から損失正接の第２ガラス転移温度の間において、複素弾性率の貯蔵弾性率を徐々に低下させる性質を有する
ことを特徴とする請求項１に記載のカップ部用樹脂ワイヤー。
【請求項４】
前記第２のポリウレタン系形状記憶樹脂は、
第１ガラス転移温度以上及び第２ガラス転移温度未満において、前記身体中心側立部又は／及び前記腋下側立部を形状記憶した形状に維持する、弾性率を有する
ことを特徴とする請求項２に記載のカップ部用樹脂ワイヤー。
【請求項５】
前記第２のポリウレタン系形状記憶樹脂は、
前記第２ガラス転移温度未満において、１．５００（ＧＰａ）以上の弾性率を有する
ことを特徴とする請求項４に記載のカップ部用樹脂ワイヤー。
【請求項６】
前記第１のポリウレタン系形状記憶樹脂、及び前記第２のポリウレタン系形状記憶樹脂は、
同一の主成分を有して構成される熱硬化性樹脂である
ことを特徴とする請求項１乃至請求項５の何れかに記載のカップ部用樹脂ワイヤー。
【請求項７】
衣類本体と、
バストを覆う椀状に形成され、前記衣類本体に取付けられる一対のカップ部と、
前記各カップ部の下端湾曲縁に沿って延在され、前記各カップ部に取付けられる袋状テープと、
前記各カップ部の前記袋状テープ内に挿入され、前記各カップ部に装着される樹脂ワイヤーと、
を備えるカップ部付き衣類であって、
前記樹脂ワイヤーは、
前記バストの下部側に配置される中央下底部と、
前記バストの身体中心側に配置される身体中心側立部と、
前記バストの腋下側に配置される腋下側立部と、
を有し、
人体の体温未満の温度以上において、形状記憶した形状から変形する性質を有する第１のポリウレタン系形状記憶樹脂、及び人体の体温を超える温度未満において、形状記憶した形状を維持する性質を有する第２のポリウレタン系形状記憶樹脂にて形成され、
前記中央下底部は、
前記バストの下部側に沿った形状に形状記憶された前記第１のポリウレタン系形状記憶樹脂にて形成され、
前記身体中心側立部は、
前記中央下底部の身体中心側の端部において、前記第１のポリウレタン系形状記憶樹脂に一体に結合され、前記バストの身体中心側に沿った形状に形状記憶された前記第２のポリウレタン系形状記憶樹脂にて形成され、
前記腋下側立部は、
前記中央下底部の腋下側の端部において、前記第１のポリウレタン系形状記憶樹脂に一体に結合され、及び前記バストの腋下側に沿った形状に形状記憶された前記第２のポリウレタン系形状記憶樹脂にて形成される
ことを特徴とするカップ部付き衣類。
【請求項８】
衣類本体と、
バストを覆う椀状に形成され、前記衣類本体の取付けられる一対のカップ部と、
前記各カップ部の下端湾曲縁に沿って前記各カップ部内に埋設して、前記各カップ部に装着される樹脂ワイヤーと、
を備えるカップ部付き衣類であって、
前記樹脂ワイヤーは、
前記バストの下部側に配置される中央下底部と、
前記バストの身体中心側に配置される身体中心側立部と、
前記バストの腋下側に配置される腋下側立部と、
を有し、
人体の体温未満の温度以上において、形状記憶した形状を変形する性質を有する第１のポリウレタン系形状記憶樹脂、及び人体の体温を超える温度未満において、形状記憶した形状を維持する性質を有する第２のポリウレタン系形状記憶樹脂にて形成され、
前記中央下底部は、
前記バストの下部側に沿った形状に形状記憶された前記第１のポリウレタン系形状記憶樹脂にて形成され、
前記身体中心側立部は、
前記中央下底部の身体中心側の端部において、前記第１のポリウレタン系形状記憶樹脂に一体に結合され、及び前記バストの身体中心側に沿った形状に形状記憶された前記第２のポリウレタン系形状記憶樹脂にて形成され、
前記腋下側立部は、
前記中央下底部の腋下側の端部において、前記第１のポリウレタン系形状記憶樹脂に一体に結合され、及び前記バストの腋下側に沿った形状に形状記憶された前記第２のポリウレタン系形状記憶樹脂にて形成される
ことを特徴とするカップ部付き衣類。
【発明の詳細な説明】
【技術分野】
【０００１】
本発明は、カップ部用樹脂ワイヤー、及びカップ部用樹脂ワイヤーを備えるカップ部付き衣類に関する。
【背景技術】
【０００２】
カップ部用芯材として、特許文献１は、形状記憶材料及びスチールワイヤで構成されるカップ部用芯材を開示する。カップ部用芯材は、ブラジャーの各カップ部内に埋設されて、各カップ部に装着される。カップ部用芯材は、略Ｃ字形状に形成され、下部、脇側端部及び前中心側端部を１種類の形状記憶材料にて一体に形成される。カップ部用芯材の下部には、スチールワイヤを形状記憶材料に積層し、カップ部用芯材の脇側端部及び前中心側端部には、樹脂製のキャップを嵌めている。
【先行技術文献】
【特許文献】
【０００３】
【特許文献１】実用新案登録第３１１３４８４号公報
【発明の概要】
【発明が解決しようとする課題】
【０００４】
特許文献１では、各カップ部内にバスト（乳房）を収納して、ブラジャーを身体に装着すると、形状記憶材料で形成されたカップ部用芯材は、人体の体温によって変形するが、下部のスチールワイヤによってカップ部用芯材の下部の変形が阻害され、バストや人体の体（人体の肌、肋骨）に馴染むように変形できない。
特許文献１では、カップ部用芯材の脇側端部及び前中心側端部は、人体の体温によって人体の脇側及び身体中心側に広がるように変形し、バストの脇下側及び身体中心側を保持（保形）できない。
【０００５】
本発明は、バスト（乳房）の下部側の人体の体（人体の肌、肋骨）やバストの周縁の下部に馴染むように変形でき、及びバストの脇下側及び身体中心側を確実に保持（保形）できるカップ部用樹脂ワイヤー、及びカップ部付き衣類を提供することにある。
【課題を解決するための手段】
【０００６】
発明に係る請求項１は、バストを覆うカップ部に装着され、前記バストの下部側に配置される中央下底部と、前記バストの身体中心側に配置される身体中心側立部と、前記バストの腋下側に配置される腋下側立部と、を有し、２種類の第１及び第２のポリウレタン系形状記憶樹脂にて形成されるカップ部用樹脂ワイヤーであって、前記第１のポリウレタン系形状記憶樹脂は、人体の体温未満の温度以上において、形状記憶した形状から変形する性質を有し、前記第２のポリウレタン系形状記憶樹脂は、人体の体温を超える温度未満において、形状記憶した形状を維持する性質を有し、前記中央下底部は、前記バストの下部側に沿った形状に形状記憶された前記第１のポリウレタン系形状記憶樹脂にて形成され、前記身体中心側立部は、前記中央下底部の身体中心側の端部において、前記第１のポリウレタン系形状記憶樹脂に一体に結合され、及び前記バストの身体中心側に沿った形状に形状記憶された前記第２のポリウレタン系形状記憶樹脂にて形成され、前記腋下側立部は、前記中央下底部の腋下側の端部において、前記第１のポリウレタン系形状記憶樹脂に一体に結合され、及び前記バストの腋下側に沿った形状に形状記憶された前記第２のポリウレタン系形状記憶樹脂にて形成されることを特徴とするカップ部用樹脂ワイヤーである。
【０００７】
本発明に係る請求項２は、前記第１のポリウレタン系形状記憶樹脂は、人体の体温未満の第１ガラス転移温度を有し、前記第２のポリウレタン系形状記憶樹脂は、人体の体温を超える第２ガラス転移温度を有することを特徴とする請求項１に記載のカップ部用樹脂ワイヤーである。
【０００８】
本発明に係る請求項３は、前記第１のポリウレタン系形状記憶樹脂は、動的粘弾性測定において、損失正接が極大値を示す損失正接の第１ガラス転移温度を有し、人体の温度未満の温度から損失正接の第１ガラス転移温度の間において、温度上昇に伴って、複素弾性率の貯蔵弾性率を徐々低下させる性質を有し、前記第２のポリウレタン系形状記憶樹脂は、動的粘弾性測定において、損失正接が極大値を示す損失正接の第２ガラス転移温度を有し、人体の体温及び損失正接の第２ガラス転移温度の間の温度であって、人体の体温を超える温度から損失正接の第２ガラス転移温度の間において、複素弾性率の貯蔵弾性率を徐々に低下させる性質を有することを特徴とする請求項１に記載のカップ部用樹脂ワイヤーである。
【０００９】
本発明に係る請求項４は、前記第２のポリウレタン系形状記憶樹脂は、第１ガラス転移温度以上及び第２ガラス転移温度未満において、前記身体中心側立部及び／又は前記腋下側立部を形状記憶された形状に保持する、弾性率を有することを特徴とする請求項２の何れかに記載のカップ部用樹脂ワイヤーである。
【００１０】
本発明に係る請求項５は、前記第２のポリウレタン系形状記憶樹脂は、前記第２ガラス転移温度未満において、１．５００（ＧＰａ）以上の弾性率を有すること特徴とする請求項５に記載のカップ部用樹脂ワイヤーである。
請求項５では、前記第２のポリウレタン系形状記憶樹脂は、前記第２ガラス転移温度未満において、１．８００（ＧＰａ）以上の弾性率を有する構成も採用できる。
【００１１】
本発明に係る請求項６は、前記第１のポリウレタン系形状記憶樹脂、及び前記第２のポリウレタン系形状記憶樹脂は、同一の主成分を有して構成される熱硬化性樹脂であることを特徴とする請求項１乃至請求項５の何れかに記載のカップ部用樹脂ワイヤーである。
【００１２】
本発明に係る請求項７は、衣類本体と、バストを覆う椀状に形成され、前記衣類本体に取付けられる一対のカップ部と、前記各カップ部の下端湾曲縁に沿って延在され、前記各カップ部に取付けられる袋状テープと、前記各カップ部の前記袋状テープ内に挿入され、前記カップ部に装着される樹脂ワイヤーと、を備えるカップ部付き衣類であって、前記樹脂ワイヤーは、前記バストの下部側に配置される中央下底部と、前記バストの身体中心側に配置される身体中心側立部と、前記バストの腋下側に配置される腋下側立部と、を有し、人体の体温未満の温度以上において、形状記憶した形状から変形する性質を有する第１のポリウレタン系形状記憶樹脂、及び人体の体温を超える温度未満において、形状記憶した形状を維持する性質を有する第２のポリウレタン系形状記憶樹脂にて形成され、前記中央下底部は、前記バストの下部側に沿った形状に形状記憶された前記第１のポリウレタン系形状記憶樹脂にて形成され、前記身体中心側立部は、前記中央下底部の身体中心側の端部において、前記第１のポリウレタン系形状記憶樹脂に一体に結合され、及び前記バストの身体中心側に沿った形状に形状記憶された前記第２のポリウレタン系形状記憶樹脂にて形成され、前記腋下側立部は、前記中央下底部の腋下側の端部において、前記第１のポリウレタン系形状記憶樹脂に一体に結合され、及び前記バストの腋下側に沿った形状に形状記憶された前記第２のポリウレタン系形状記憶樹脂にて形成されることを特徴とするカップ部付き衣類である。
【００１３】
本発明に係る請求項８は、衣類本体と、バストを覆う椀状に形成され、前記衣類本体に取付けられる一対のカップ部と、前記各カップ部の下端湾曲縁に沿って前記各カップ部内に埋設して、前記各カップ部に装着される樹脂ワイヤーと、を備えるカップ部付き衣類であって、前記樹脂ワイヤーは、前記バストの下部側に配置される中央下底部と、前記バストの身体中心側に配置される身体中心側立部と、前記バストの腋下側に配置される腋下側立部と、を有し、人体の体温未満の温度以上において、形状記憶した形状から変形する性質を有する第１のポリウレタン系形状記憶樹脂、及び人体の体温を超える温度未満において、形状記憶した形状を維持する性質を有する第２のポリウレタン系形状記憶樹脂にて形成され、前記中央下底部は、前記バストの下部側に沿った形状に形状記憶された前記第１のポリウレタン系形状記憶樹脂にて形成され、前記身体中心側立部は、前記中央下底部の身体中心側の端部において、前記第１のポリウレタン系形状記憶樹脂に一体に結合され、及び前記バストの身体中心側に沿った形状の形状記憶された前記第２のポリウレタン系形状記憶樹脂にて形成され、前記腋下側立部は、前記中央下底部の腋下側の端部において、前記第１のポリウレタン系形状記憶樹脂に一体に結合され、及び前記バストの腋下側に沿った形状に形状記憶された前記第２のポリウレタン系形状記憶樹脂にて形成されることを特徴とするカップ部付き衣類である。
【発明の効果】
【００１４】
本発明の請求項１では、カップ部用樹脂ワイヤーは、２種類の第１及び第２のポリウレタン系形状記憶樹脂にて、中央下底部、身体中心側立部及び腋下側立部を一体に形成している。カップ部用樹脂ワイヤーの中央下底部は、人体の体温未満の温度以上において、形状記憶した形状から変形する性質を有する第１のポリウレタン系形状記憶樹脂にて形成し、カップ部用樹脂ワイヤーの身体中心側立部及び腋下側立部は、人体の体温を超える温度未満において、形状記憶した形状を維持する性質を有する第２のポリウレタン系形状記憶樹脂にて形成している。カップ部用樹脂ワイヤーは、第１及び第２のポリウレタン系形状記憶樹脂を一体に結合（架橋結合）して、中央下底部、身体中心側立部及び腋下側立部を一体に形成している。
バスト（乳房）をカップ部に収納して、カップ部用樹脂ワイヤーを人体の体（人体の肌、肋骨）やバストに装着すると、カップ部樹脂ワイヤーの中央下底部は、人体の体温によって温められ、形状記憶（一次賦形）された形状（バストの下部側に沿った形状）から多方向に三次元的に変形（二次賦形）して、人体の体（人体の肌、肋骨）やバストの周縁に馴染んだ形状（人体の体やバストの周縁に沿った形状）となる。
これにより、バストの下部側において、カップ部用樹脂ワイヤーの中央下底部が、人体の体（人体の肌、肋骨）やバストの周縁に局部的に強く圧迫して痛みを感じることをなくすことができる。
請求項１では、カップ部用樹脂ワイヤーの身体中心側立部、及び腋下側立部は、人体の体温を超える温度未満において、形状記憶した形状を維持する性質を有する第２のポリウレタン系形状記憶樹脂にて形成されるので、人体の体温よって、形状記憶（一次賦形）から変形（二次賦形）することなく、形状記憶された形状（バストの身体中心側に沿った形状、バストの腋下側に沿った形状）を保持する。
これにより、バストをカップ部内に収納して、カップ部用樹脂ワイヤーを人体に装着しても、カップ部用樹脂ワイヤーの身体中心側立部及び腋下側立部は、形状記憶（一次賦形）した形状を維持することから、バストの身体中心側及び腋下側を確実に保持（保形）でき、バストの身体中心側及び腋下側がカップ部内から流れることを抑制できる。
請求項１では、カップ部用樹脂ワイヤーを形状記憶された形状から変形（二次賦形）した後に、人体の体温未満に冷ますと、カップ部用樹脂ワイヤーの中央下底部は、二次賦形された形状を保持（維持）するが、再び、カップ部及びカップ部用樹脂ワイヤーを人体の体温を超える温度以上に温めると、カップ部用樹脂ワイヤーの中央下底部は、二次賦形された形状から形状記憶（一次賦形）された形状に回復（形状回復）できる。
請求項１では、カップ部用樹脂ワイヤーを、第１及び第２のポリウレタン系形状記憶樹脂にて形成しているので、人体の体（人体の肌、肋骨）やバストの周縁にソフトにフィットさせることができる。
【００１５】
本発明の請求項２では、第１のポリウレタン系形状記憶樹脂は、人体の体温未満の第１ガラス転移温度を有するので、中央下底部は、第１ガラス転移温度以上であって、人体の体温に温められると、形状記憶された形状（一次賦形）から三次元的に変形して、人体の体（人体の肌、肋骨）やバストの周縁に馴染んだ形状（人体の体やバストの周縁に沿った形状）となる。
第２のポリウレタン系形状記憶樹脂は、人体の体温を超える第２ガラス転移温度を有するので、身体中心側立部及び腋下側立部は、人体の体温に温められても、形状記憶された形状から変形（二次賦形）することなく、バストの身体中心側及び下腋側を確実に保持でき、バストの身体中心側及び腋下側がカップ内から流れることを抑制できる。
請求項２では、第１のポリウレタン系形状記憶樹脂を変形（二次賦形）した後、第１ガラス転移温度未満に冷まし、再び、第１ガラス転移温度以上の温度に温めると、中央下底部は、二次賦形された形状から形状記憶された形状に回復（形状回復）できる。
【００１６】
本発明の請求項３では、第１のポリウレタン系形状記憶樹脂を人体の体温未満の温度以上（温度：２０℃以上）に温めると、複素弾性率の貯蔵弾性率が低下することから、中央下底部は、形状記憶された形状から三次元的に変形（二次賦形）して、人体の体（人体の肌、肋骨）やバストの周縁に馴染んだ形状（人体の体やバストの周縁に沿った形状）にとなる。
第２のポリウレタン系形状記憶樹脂は、人体の体温を超える温度未満（温度：４５℃未満）において、複素弾性率の貯蔵弾性率を一定に維持するので、身体中心側立上部及び腋側立上部は、人体の温度に温められても、形状記憶された形状から変形することなく、形状記憶された形状に保持するので、バストの身体中心側及び腋下側を確実に保持でき、バストの身体中心側及び腋下側がカップ部内から流れることを抑制できる。
【００１７】
本発明の請求項４では、カップ部用樹脂ワイヤーを第１ガラス転移温度以上及び第２ガラス転移温度未満であって、人体の体温に温めても、カップ部用樹脂ワイヤーの身体中心側立部及び腋下側立部は、第２のポリウレタン系形状記憶樹脂の弾性率によって、形状記憶（一次賦形）された形状（バストの身体中心側に沿った形状、バストの腋下側に沿った形状）に保持される。
これにより、カップ部用樹脂ワイヤーを人体の体温に温めても、カップ部用樹脂ワイヤーの身体中心側立部及び腋下側立部は、形状記憶（一次賦形）された形状から変形（二次賦形）することなく、第２のポリウレタン系形状記憶樹脂の弾性率によって、バストの身体中心側及び／又は腋下側を保持（保形）できる。
【００１８】
本発明の請求項５では、カップ部用樹脂ワイヤーを人体の体温に温めても、カップ部用ワイヤーの身体中心側立部及び腋下側立部は、形状記憶（一次賦形）された形状から変形（二次賦形）されることなく、第２のポリウレタン系形状記憶樹脂の２．０００（ＧＰａ）の弾性率によって、バストの身体中心側及び／又は腋下側立部を保持（保形）できる。
【００１９】
本発明の請求項６では、第１及び第２のポリウレタン系形状記憶樹脂は、同一の主成分を有して構成されるので、各ポリウレタン系形状記憶樹脂の相互において親和性に優れ、カップ部用樹脂ワイヤーの中央下底部、身体中心側立部及び腋下側立部を確実に一体に結合（架橋結合）できる。
【００２０】
本発明の請求項７では、樹脂ワイヤーは、第１及び第２のポリウレタン系形状記憶樹脂にて、中央下底部、身体中心側立部及び腋下側立部を一体に形成している。樹脂ワイヤーの中央下底部は、人体の体温未満の温度以上において、形状記憶した形状から変形する性質を有する第１のポリウレタン系形状記憶樹脂にて形成し、樹脂ワイヤーの身体中心側立部及び腋下側立部は、人体の体温を超える温度未満において、形状記憶した形状を維持する性質を有する第２のポリウレタン系形状記憶樹脂にて形成している。樹脂ワイヤーは、第１及び第２のポリウレタン系形状記憶樹脂を一体に結合（架橋結合）して、中央下底部、身体中心側立部及び腋下側立部を一体に形成している。
バスト（乳房）をカップ部に収納して、カップ部付き衣類を人体の体（人体の肌、肋骨）に装着すると、樹脂ワイヤーの中央下底部は、人体の体温によって温められ、形状記憶（一次賦形）された形状（バストの下部側に沿った形状）から多方向に三次元的に変形（二次賦形）して、人体の体（人体の肌、肋骨）に馴染んだ形状（人体の体に沿った形状）となる。
これにより、バストの下部側において、カップ部用樹脂ワイヤーの中央下底部が、人体の体（人体の肌、肋骨）に局部的に強く圧迫して痛みを感じることをなくすことができる。
請求項７では、樹脂ワイヤーの身体中心側立部、及び腋下側立部は、人体の体温を超える温度未満において、形状記憶した形状を維持する性質を有する第２のポリウレタン系形状記憶樹脂にて形成されるので、人体の体温よって、形状記憶（一次賦形）から変形（二次賦形）することなく、形状記憶された形状（バストの身体中心側に沿った形状、バストの腋下側に沿った形状）を保持する。
これにより、バストをカップ部内に収納して、カップ部付き衣類を人体に装着しても、樹脂ワイヤーの身体中心側立部及び腋下側立部は、形状記憶（一次賦形）した形状を保持することから各カップ部の身体中心側及び腋下側の形状を保持して、各カップ部との協働によって、各バストの身体中心側及び腋下側を確実に保持（保形）でき、バストの身体中心側及び腋下側がカップ部内から流れることを抑制できる。
請求項７では、樹脂ワイヤーを形状記憶された形状から変形（二次賦形）した後に、人体の体温未満に冷ますと、樹脂ワイヤーの中央下底部は、二次賦形された形状を保持（維持）するが、再び、カップ部及びカップ部用樹脂ワイヤーを人体の体温未満の温度以上に温めると、樹脂ワイヤーの中央下底部は、二次賦形された形状から形状記憶（一次賦形）された形状に回復（形状回復）できる。
請求項７では、カップ部用樹脂ワイヤーを、第１及び第２のポリウレタン系形状記憶樹脂にて形成しているので、人体の体（人体の肌、肋骨）やバストの周縁にソフトにフィットさせることができる。
【００２１】
本発明の請求項８では、第１及び第２のポリウレタン系形状記憶樹脂にて、中央下底部、身体中心側立部及び腋下側立部を一体に形成している。樹脂ワイヤーの中央下底部は、人体の体温未満の温度以上において、形状記憶した形状から変形する性質を有する第１のポリウレタン系形状記憶樹脂にて形成し、樹脂ワイヤーの身体中心側立部及び腋下側立部は、人体の体温を超える温度未満において、形状記憶した形状を維持する性質を有する第２のポリウレタン系形状記憶樹脂にて形成している。樹脂ワイヤーは、第１及び第２のポリウレタン系形状記憶樹脂を一体に結合（架橋結合）して、中央下底部、身体中心側立部及び腋下側立部を一体に形成している。
バスト（乳房）をカップ部に収納して、カップ部付き衣類を人体の体（人体の肌、肋骨）に装着すると、樹脂ワイヤーの中央下底部は、人体の体温によって温められ、形状記憶（一次賦形）された形状（バストの下部側に沿った形状）から多方向に三次元的に変形（二次賦形）して、ハストの周縁の下部側に馴染んだ形状（ハストの周縁の下部側に沿った形状）となる。
これにより、バストの周縁の下部側において、カップ部用樹脂ワイヤーの中央下底部が、バストに局部的に強く圧迫して痛みを感じることをなくすことができる。
請求項８では、樹脂ワイヤーの身体中心側立部、及び腋下側立部は、人体の体温を超える温度において、形状記憶した形状を維持する性質を有する第２のポリウレタン系形状記憶樹脂にて形成されるので、人体の体温よって、形状記憶（一次賦形）から変形（二次賦形）することなく、形状記憶された形状（バストの身体中心側に沿った形状、バストの腋下側に沿った形状）を保持する。
これにより、バストをカップ部内に収納して、カップ部付き衣類を人体に装着しても、樹脂ワイヤーの身体中心側立部及び腋下側立部は、形状記憶（一次賦形）した形状を保持することから、各バストの身体中心側及び腋下側を確実に保持（保形）でき、バストの身体中心側及び腋下側がカップ部内から流れることを抑制できる。
請求項８では、樹脂ワイヤーを形状記憶された形状から変形（二次賦形）した後に、人体の体温未満に冷ますと、樹脂ワイヤーの中央下底部は、二次賦形された形状を保持（維持）するが、再び、カップ部及びカップ部用樹脂ワイヤーを人体の体温未満の温度以上に温めると、樹脂ワイヤーの中央下底部は、二次賦形された形状から形状記憶（一次賦形）された形状に回復（形状回復）できる。
請求項８では、カップ部用樹脂ワイヤーを、第１及び第２のポリウレタン系形状記憶樹脂にて形成しているので、バストの周縁にソフトにフィットさせることができる。
【図面の簡単な説明】
【００２２】
【図１】カップ部用樹脂ワイヤーを示す正面図（表面図）である。
【図２】図１のＡ−Ａ断面図である。
【図３】カップ部用樹脂ワイヤーの円孤半径、各円孤長及び円孤直線長を示す正面図である。
【図４】カップ部用樹脂ワイヤーと、人体の体、骨（肋骨、胸骨及び椎骨）及びバストとの関係を示す正面図である。
【図５】第１及び第２のポリウレタン系形状記憶樹脂において、「弾性率の温度依存性」の特性（関係）を示すグラフ図である。
【図６】第１のポリウレタン系形状記憶樹脂において、「動的粘弾性の温度依存性」の特性（関係）を示すグラフ図である。
【図７】第２のポリウレタン系形状記憶樹脂において、「動的粘弾性の温度依存性」の特性（関係）を示すグラフ図である。
【図８】第１実施形態のブラジャーを示す表面図である。
【図９】第１実施形態のブラジャーを示す裏面図である。
【図１０】図９の部分拡大図であって、右側のカップ部（カップ支持部）、袋状テープ（ワイヤーループ）及び樹脂ワイヤーを示す裏面図である。
【図１１】図９の部分拡大図であって、左側のカップ部（カップ支持部）、袋状テープ（ワイヤーループ）及び樹脂ワイヤーを示す裏面図である。
【図１２】図８のＢ−Ｂ断面拡大図である。
【図１３】図１２のＤ矢視拡大図である。
【図１４】図８のＣ−Ｃ断面拡大図である。
【図１５】図１４のＥ矢視拡大図である。
【図１６】図１４のＦ矢視拡大図である。
【図１７】第１実施形態のブラジャーを、身体の立位姿勢において、身体（女性）の体（バスト）に装着した正面図である。
【図１８】図１７の部分拡大図である。
【図１９】第１実施形態のブラジャーを、身体の立位姿勢において、身体（女性）の体（バスト）に装着した左側面図である。
【図２０】図１７のＧ−Ｇ断面拡大図である。
【図２１】図２０のＨ矢視拡大図である。
【図２２】第２実施形態のブラジャーを示す表面図である。
【図２３】第２実施形態のブラジャーを示す裏面図である。
【図２４】図２３の部分拡大図であって、右側のカップ部及び樹脂ワイヤーを示す一部断面裏面図である。
【図２５】図２３の部分拡大図であって、左側のカップ部及び樹脂ワイヤーを示す一部断面裏面図である。
【図２６】図２２のＩ−Ｉ断面拡大図である。
【図２７】図２６のＪ矢視拡大図であって、（ａ）はカップ部及び樹脂ワイヤーを示す図、（ｂ）は樹脂ワイヤーをカップ部（カップ芯材）に埋込む位置を示す図である。
【図２８】図２２のＫ―Ｋ断面拡大図である。
【図２９】図２８のＬ矢視拡大図であって、（ａ）はカップ部及び樹脂ワイヤーを示す図、（ｂ）は樹脂ワイヤーをカップ部（カップ芯材）に埋込む位置を示す図である。
【図３０】図２８のＭ矢視拡大図であって、（ａ）はカップ部及び樹脂ワイヤーを示す図、（ｂ）は樹脂ワイヤーをカップ部（カップ芯材）に埋込む位置を示す図である。
【図３１】第２実施形態のブラジャーを、身体の立位姿勢において、身体（女性）の体（バスト）の装着した正面図である。
【図３２】図３１の部分拡大図である。
【図３３】第２実施形態のブラジャーを、身体の立位姿勢において、身体（女性）の体（バスト）の装着した左側面図である。
【図３４】図３１のＮ−Ｎ断面拡大図である。
【図３５】図３４のＯ矢視拡大図である。
【図３６】装着試験１において、実施例１のブラジャーを示す写真図である。
【図３７】装着試験１において、実施例２のブラジャーを示す写真図である。
【図３８】装着試験１において、比較例１のブラジャーを示す写真図である。
【図３９】装着試験１において、比較例２のブラジャーを示す写真図である。
【図４０】装着試験２において、実施例３のブラジャーを示す写真図である。
【図４１】装着試験２において、実施例４のブラジャーを示す写真図である。
【図４２】装着試験２において、比較例３のブラジャーを示す写真図である。
【図４３】装着試験２において、比較例４のブラジャーを示す写真図である。
【図４４】装着試験１及び装着試験２において、実施例１乃至実施例４のブラジャー、比較例１乃至比較例４のブラジャーを装着した際において、アンダーバスト、バスト（トップバスト）、乳下がり、乳間、フロントストラップ間、乳間を示す斜視図である。
【発明を実施するための形態】
【００２３】
本発明に係るカップ部用樹脂ワイヤー、及びカップ部付き衣類について、図１乃至図４４を参照して説明する。
【００２４】
＜カップ部用樹脂ワイヤー（カップ部用樹脂芯材）＞
先ず、カップ部用樹脂ワイヤーについて、図１乃至図７を参照して説明する。
【００２５】
カップ部用樹脂ワイヤーＸは、カップ部付き衣類Ｙ１，Ｙ２において、人体の各バストＢＵ，ＢＵ（乳房）を覆う各カップ部Ｚ１，Ｚ２に装着される（図８乃至図３５参照）。
【００２６】
カップ部用樹脂ワイヤーＸ（以下、「樹脂ワイヤーＸ」という）は、図１乃至図４に示すように、２種類の第１及び第２のポリウレタン系形状記憶樹脂Ｐ１，Ｐ２（ポリウレタン系形状記憶ポリマー）にて形成される。
樹脂ワイヤーＸは、ガラス転移温度の相異するポリウレタン系形状記憶樹脂であって、第１ガラス転移温度Ｔｇ１及び損失正接（損失係数）：ｔａｎδ１の第１ガラス転移温度Ｔｈ１を有する第１のポリウレタン系形状記憶樹脂Ｐ１と、第２ガラス転移温度Ｔｇ２及び損失正接（損失係数）：ｔａｎδ２の第２ガラス転移温度Ｔｈ２を有する第２のポリウレタン系形状記憶樹脂Ｐ２にて形成される。
【００２７】
第１のポリウレタン系形状記憶樹脂Ｐ１は、動的粘弾性測定において、人体の体温未満（身体の体温未満）の第１ガラス転移温度Ｔｇ１を有する。第１ガラス転移温度Ｔｇ１は、例えば、温度（セルシウス度）：２０℃以上３５℃未満（２０℃〜３５℃）の温度範囲において、任意の１の温度である（図５参照）。
また、第１のポリウレタン系形状記憶樹脂Ｐ１は、動的粘弾性測定において、損失正接（損失係数）：ｔａｎδ１が極大値を示す損失正接の第１ガラス転移温度Ｔｈ１（損失正接：ｔａｎδ１の第１ガラス転移温度）を有する（図６参照）。
【００２８】
第２のポリウレタン系形状記憶樹脂Ｐ２は、動的粘弾性測定において、第１のポリウレタン系形状記憶樹脂Ｐ１の第１ガラス転移温度Ｔｇ１より高い温度であって、人体の体温（身体の体温）を超える第２ガラス転移温度Ｔｇ２（Ｔｇ２＞Ｔｇ１）を有する。第２ガラス転移温度Ｔｇ２は、例えば、温度（セルシウス度）：４３℃以上５０℃未満（４３℃〜５０℃）の温度範囲において、任意の１の温度である（図５参照）。
また、第２のポリウレタン系形状記憶樹脂Ｐ２は、動的粘弾性測定において、第１のポリウレタン系形状記憶樹脂Ｐ１の第１ガラス転移温度Ｔｈ１より高い温度であって、損失正接（損失係数）：ｔａｎδ２が極大値を示す損失正接の第２ガラス転移温度Ｔｈ２（損失正接：ｔａｎδの第２ガラス転移温度）を有する（図７参照）。
【００２９】
樹脂ワイヤーＸは、図１乃至図４に示すように、身体の立位姿勢（人体の立位姿勢）での上下方向ＵＤにおいて、バストＢＵの下部側に配置される中央下底部１と、身体の立位姿勢での左右方向ＬＲにおいて、バストＢＵの身体中心側（前中心側）に配置される身体中心側立部２（前中心側立部）と、身体の立位姿勢での左右方向ＬＲにおいて、バストＢＵの腋下側に配置される腋下側立部３とを有する。
上下方向ＵＤは、図４に示すように、身体の立位姿勢（人体の立位姿勢）において、人体の胸骨ＣＢや椎骨ＳＢの延びる方向であって、人体の頭部方向を上方（上方向）とし、及び人体の腹方向を下方（下方向）とする。左右方向ＬＲは、図４に示すように、身体の立位姿勢（人体の立位姿勢）において、上下方向ＵＤと直交する方向であって、人体の右腋方向を右方（右方向）とし、及び人体の左腋方向を左方（左方向）とする。
【００３０】
樹脂ワイヤーＸにおいて、中央下底部１は、図１乃至図４に示すように、第１のポリウレタン系形状記憶樹脂Ｐ１にて形成（成形）される。
中央下底部１は、図１、図３及び図４に示すように、身体の立位姿勢（人体の立位姿勢）において、バストＢＵの下部側に沿った形状（湾曲形状）に形状記憶（一次賦形）された第１のポリウレタン系形状記憶樹脂Ｐ１にて形成（成形）される。中央下底部１は、例えば、バストＢＵのバージスラインＶの下部側に沿った形状（湾曲形状）に形状記憶される。
中央下底部１は、第１のポリウレタン系形状記憶樹脂Ｐ１の第１ガラス転移温度Ｔｇ１未満（ガラス領域ＧＡ１）、又は人体の体温未満の温度（例えば、温度：２０℃未満）において、バストＢＵの下部側に沿って形状記憶された形状（湾曲形状）に維持される。
バージスラインＶは、図４に示すように、バストＢＵと体ＢＯの境界線、バストＢＵの基底ライン又はバストＢＵの輪郭である（以下、同様）。
また、人体の体温とは、平均体温（平熱）であって、３６℃〜３７℃（例えば、３６．８９℃）である。
【００３１】
樹脂ワイヤーＸにおいて、身体中心側立部２は、図１乃至図４に示すように、第２のポリウレタン系形状記憶樹脂Ｐ２にて形成（成形）される。
身体中心側立部２は、図１、図３及び図４に示すように、中央下底部１の身体中心側の端部１Ａ（一方の端部）において、第１のポリウレタン系形状記憶樹脂Ｐ１に一体に結合（架橋結合）された第２のポリウレタン系形状記憶樹脂Ｐ２にて形成（成形）される。
これにより、身体中心側立部２の一方の端部２Ａ（中央下底部１側の端部）、及び中央下底部１の端部１Ａは、第１及び第２のポリウレタン系形状記憶樹脂Ｐ１，Ｐ２にて一体に結合（架橋結合）される。
【００３２】
身体中心側立部２は、図１乃至図４に示すように、身体の立位姿勢（人体の立位姿勢）において、バストＢＵの身体中心側に沿った形状（湾曲形状）に形状記憶（一次賦形）された第２のポリウレタン系形状記憶樹脂Ｐ２にて形成（成形）される。
身体中心側立部２は、例えば、バストＢＵのバージスラインＶの身体中心側に沿った形状（湾曲形状）に形状記憶される。
身体中心側立部２は、第２のポリウレタン系形状記憶樹脂Ｐ２の第２ガラス転移温度Ｔｇ２未満（ガラス領域ＧＡ２）、又は人体の体温を超える温度以下（例えば、温度：４５℃以下）において、バストＢＵの身体中心側（前中心側）に沿って形状記憶された形状（湾曲形状）に維持される。
【００３３】
樹脂ワイヤーＸにおいて、腋下側立部３は、図１乃至図４に示すように、第２のポリウレタン系形状記憶樹脂Ｐ２にて形成（成形）される。
腋下側立部３は、図１、図３及び図４に示すように、中央下底部１の腋下側の端部１Ｂ（他方の端部）において、第１のポリウレタン系形状記憶樹脂Ｐ１に一体に結合（架橋結合）された第２のポリウレタン系形状記憶樹脂Ｐ２にて形成（成形）される。
これにより、腋下側立部３の一方の端部３Ａ（中央下底部１側の端部）、及び中央下底部１の端部１Ｂは、第１及び第２のポリウレタン系形状記憶樹脂Ｐ１，Ｐ２にて一体に結合（架橋結合）される。
【００３４】
腋下側立部３は、図１乃至図４に示すように、身体の立位姿勢（人体の立位姿勢）において、バストＢＵの腋下側に沿った形状（湾曲直線形状）に形状記憶（一次賦形）された第２のポリウレタン系形状記憶樹脂Ｐ２にて形成（成形）される。
腋下側立部３は、例えば、バストＢＵのバージスラインＶの腋下側に沿った形状（湾曲直線形状）に形状記憶される。
腋下側立部３は、第２のポリウレタン系形状記憶樹脂Ｐ２の第２ガラス転移温度Ｔｇ２未満（ガラス領域ＧＡ２）、又は人体の体温を超える温度以下（例えば、温度：４５℃以下）において、バストＢＵの腋下側に沿って形状記憶された形状（湾曲直線形状）に維持される。
【００３５】
このように、樹脂ワイヤーＸは、図１乃至図４に示すように、第１及び第２のポリウレタン系形状記憶樹脂Ｐ１，Ｐ２を一体に結合（架橋結合）することで、中央下底部１、身体中心側立部２及び腋下側立部３を一体に形成（一体に結合）した、一本の樹脂ワイヤーＸとして構成される。
【００３６】
樹脂ワイヤーＸは、図１及び図３に示すように、中央下底部１、身体中心側立部２及び腋下側立部の端部３Ａ側（中央下底部１側）を円孤形状に形成し、及び腋下側立部３の他方の端部３Ｂ側（樹脂ワイヤーＸの他方の端部側）を直線形状に形成して構成される。
【００３７】
樹脂ワイヤーＸにおいて、中央下底部１は、図３に示すように、バストＢＵのバストトップＴＰである中心点Ｏから円孤半径Ｒの円孤形状であって、身体の立位姿勢において、バストＢＵの下部側に沿った円孤形状に形成される。
中央下底部１は、図３に示すように、各端部１Ａ，１Ｂ（及び各端部２Ａ，３Ａ）である第１境界点Ａ及び第２境界点Ｂの間の円孤中心線Ｌ１において、円孤長ｌ１を有する。
【００３８】
樹脂ワイヤーＸにおいて、身体中心側立部２（前中心側立部）は、図３に示すように、中心点Ｏから円孤半径Ｒの円孤形状であって、身体の立位姿勢において、バストＢＵの身体中心側に沿った円孤形状に形成される。
身体中心側立部２（前中心側立部）は、第１境界点Ａ及び身体中心側立部２の他方の端部２Ｂ（樹脂ワイヤーＸの一方の端部）である第１端点Ｃの間の円孤中心線Ｌ２において、円孤長ｌ２を有する。
【００３９】
樹脂ワイヤーＸにおいて、腋下側立部３は、図３に示すように、第２境界点Ｂ、及び腋下側立部３の他方の端部３Ｂ（樹脂ワイヤーＸの他方の端部）である第２端点Ｅの間において、第３境界点Ｄを有する。
腋下側立部３は、図３に示すように、第２境界点Ｂ及び第３境界点Ｄの間において、中心点Ｏ３から円孤半径Ｒの円孤形状であって、身体の立位姿勢において、バストＢＵの腋下側に沿った円孤形状に形成される腋下側円孤部分３Ｘと、第３境界点Ｄ及び第２端点Ｅの間において、バストＢＵの腋下側に沿った直線形状に形成される腋下側直線部分３Ｙを有して構成される。
腋下側立部３において、腋下側直線部分３Ｙは、図３に示すように、第３境界点Ｄを通って上下方向ＵＤに延びる基準線ＬＡと、腋下側直線部分３Ｙの直線中心線Ｌ３ｂとの間に角度θを有して傾斜され、例えば、左右方向ＬＲの右方（身体中心線側）に角度θだけ傾斜されて形成される。
このように、腋下側立部３は、図３に示すように、腋下側円孤部分３Ｘ及び腋下側直線部分３Ｙ（円孤形状及び直線形状）を第３境界点Ｄで連続に結合し、及び身体の立位姿勢において、バストＢＵの腋下側に沿った円孤直線形状に形成される。
腋下側立部３は、図３に示すように、第２境界点Ｂ及び第２端点Ｅの間の円孤直線中心線Ｌ３において、円孤直線長ｌ３を有する。
腋下側立部３において、円孤直線中心線Ｌ３の円孤直線長ｌ３は、図３に示すように、第２境界点Ｂ及び第３境界点Ｄの間（腋下側円孤部分３Ｘ）の円孤中心線Ｌ３ａの円孤長ｌ３ａと、第３境界点Ｄ及び第２端点Ｅの間（腋下側直線部分３Ｙ）の直線中心長Ｌ３ｂの直線長ｌ３ｂとでなる（ｌ３＝ｌ３ａ＋ｌ３ｂ）。
【００４０】
樹脂ワイヤーＸにおいて、中央下底部１、身体中心側立部２、及び腋下側立部３は、各円孤中心線Ｌ１，Ｌ２，Ｌ３を連続して配置して、一体に結合（架橋結合）される。
【００４１】
樹脂ワイヤーＸは、図１乃至図３に示すように、上下方向ＵＤ及び左右方向ＬＲにワイヤー幅Ｈを有し、及び前後方向ＦＲにワイヤー厚さＴを有して形成される。
樹脂ワイヤーＸにおいて、中央下底部１、身体中心側立部２及び腋下側立部３は、相互に同一（共通）のワイヤー幅Ｈを有し、及び相互に同一（共通）のワイヤー厚さＴを有する。前後方向ＦＲは、上下方向ＵＤ及び左右方向ＬＲと直交する方向である。
【００４２】
樹脂ワイヤーＸは、「日本工業規格：ＪＩＳ  Ｌ  ４００６（１９９８）」の「カップ体型区分表示」に規定されている「各カップ体型（ＡＡカップ体型、Ａカップ体型〜Ｉカップ体型）」に対応して、円孤半径Ｒ、円孤中心線Ｌ１（中央下底部１）の円孤長ｌ１、円孤中心線Ｌ２（身体中心側立部２）の円孤長ｌ２、及び円孤直線中心線Ｌ３（腋下側立部３）の円孤直線長１３を決定（設定）する。
【００４３】
樹脂ワイヤーＸにおいて、円孤半径Ｒは、図３及び図４に示すように、バストトップＴＰを中心とする半径であって、ＡＡカップ体型、Ａカップ体型〜Ｉカップ体型に応じた数値（ｍｍ）を選択（設定）する。
樹脂ワイヤーＸにおいて、円孤中心線Ｌ１の円孤長ｌ１は、ＡＡカップ体型、Ａカップ体型〜Ｉカップ体型に応じた数値（ｍｍ）を選択（設定）する。
樹脂ワイヤーＸにおいて、円孤中心線Ｌ２の円孤長ｌ２は、ＡＡカップ体型、Ａカップ体型〜Ｉカップ体型に応じた数値ｍｍを選択（設定）する。
樹脂ワイヤーＸにおいて、円孤直線中心線Ｌ３の円孤直線長ｌ３は、ＡＡカップ体型、Ａカップ体型〜Ｉカップ体型に応じた数値ｍｍを選択（設定）する。
【００４４】
樹脂ワイヤーＸにおいて、ワイヤー幅Ｈ及びワイヤー厚さＴは、例えば、「日本工業規格：ＪＩＳ  Ｌ  ４００６（１９９８）」の「カップ体型区分表示」に規定されている「各カップ体型」に同一（共通）として、例えば、Ｈ＝５〜１０ｍｍの任意の幅、及びＴ＝１〜３ｍｍの任意の厚さとする。
【００４５】
例えば、日本工業規格：ＪＩＳ  Ｌ  ４００６（１９９８）の「カップ体型区分表示」に規定される「Ｃカップ体型」の「Ｃ７５（アンダーバスト：７０ｃｍ及びトップバスト：９５ｃｍ）」に対応して、樹脂ワイヤーＸは、円孤半径Ｒ＝６６ｍｍ、円孤中心線Ｌ１（中央下底部１）の円孤長ｌ１＝７６ｍｍ、円孤中心線Ｌ２（身体中心側立部２）の円孤長ｌ２＝３９ｍｍ、及び円孤直線中心線Ｌ３（腋下側立部３）の円孤直線長ｌ３＝６５ｍｍとする。樹脂ワイヤーＸにおいて、ワイヤー幅Ｈ＝６ｍｍ又は１０ｍｍ、及びワイヤー厚さＴ＝２ｍｍ又は２．５ｍｍとする。
【００４６】
第１及び第２のポリウレタン系形状記憶樹脂Ｐ１，Ｐ２は、例えば、熱硬化性のポリウレタン系形状記憶樹脂（熱硬化性樹脂）である。
樹脂ワイヤーＸにおいて、第１及び第２のポリウレタン系形状記憶樹脂Ｐ１，Ｐ２は、同一の主成分を有して構成され、例えば、添加剤や可塑剤を調整することで、動的粘弾性測定において、相互に相異する第１及び第２ガラス転移温度Ｔｇ１，Ｔｇ２、又は相互に相異する損失正接：ｔａｎδ１、ｔａｎδ２の第１及び第２ガラス転移温度Ｔｈ１，Ｔｈ２を有する。
【００４７】
第１のポリウレタン系形状記憶樹脂Ｐ１は、図５に示すように、第１ガラス転移温度Ｔｇ１以上のガラス転移領域ＧＭ１において、樹脂ワイヤーＸの中央下底部１を形状記憶（一次賦形）した形状から変形（二次賦形）する、弾性率Ｅ１を有する。第１のポリウレタン系形状記憶樹脂Ｐ１は、第１ガラス転移温度Ｔｇ１以上のガラス転移領域ＧＭ１において、温度上昇に伴って弾性率を小さくする性質・特定（低下させる性質・特性）を有する。
また、第１のポリウレタン系形状記憶樹脂Ｐ１は、図６に示すように、人体の体温未満の温度（例えば、温度：２０℃）から損失正接：ｔａｎδ１が極大値を示す損失正接の第１ガラス転移温度Ｔｈ１（損失正接の極大第１ガラス転移温度）の間（人体の体温未満の温度以上）において、樹脂ワイヤーＸの中央下底部１を形状記憶した形状から変形（二次賦形）する、複素弾性率（損失弾性率Ｅ１ａ及び貯蔵弾性率Ｅ１ｂ）を有する。第１のポリウレタン系形状記憶樹脂Ｐ１は、人体の体温未満の温度から損失正接：ｔａｎδが極大値を示す損失正接の第１ガラス転移温度Ｔｈ１の間（人体の体温未満の温度以上、例えば、温度：２０℃以上）において、温度上昇に伴って複素弾性率の貯蔵弾性率Ｅ１ｂを、徐々に（漸次）、低下させる性質・特定（小さくする性質・特定）を有する。
【００４８】
第２のポリウレタン系形状記憶樹脂Ｐ２は、図５に示すように、第１ガラス転移温度Ｔｇ１以上及び第２ガラス転移温度Ｔｇ２未満において、樹脂ワイヤーＸの身体中心側立部２及び腋下側立部３を形状記憶（一次賦形）した形状に維持する、弾性率Ｅ２を有する。
また、第２のポリウレタン系形状記憶樹脂Ｐ２は、図７に示すように、人体の体温及び損失正接の第２ガラス転移温度Ｔｈ２（損失正接の極大第２ガラス転移温度）の間の温度であって、人体の体温を超える温度未満（例えば、温度：４５℃未満）において、樹脂ワイヤーＸの身体中心側立部２及び腋下側立部３を形状記憶（一次賦形）した形状に維持する、複素弾性率の貯蔵弾性率Ｅ２ｂを有する。
【００４９】
第1及び第２のポリウレタン系形状記憶樹脂Ｐ１，Ｐ２は、末端にＯＨ基（水酸基／ヒドロキシル基）を有する少なくとも１種類以上のポリオール成分からなる混合液と、末端にＮＣＯ基（イソシアネート基）を有する少なくとも１種類以上のポリイソシアネート成分からなる混合液を主成分として、当量比０．７〜１．３の範囲で混合して硬化することで形成し得る。
【００５０】
第１及び第２のポリウレタン系形状記憶樹脂Ｐ１，Ｐ２において、ポリオール成分は、例えば、ポリエーテルポリオール、ポリエステルポリオール、炭素数２〜４０のジオール（オクタンジオール等）、ダイマーポリオール、水添ダイマー酸系ジオール、ヒマシ油系ポリオール（ヒマシ油、ヒマシ油のアルキレンオキサイド付加物、ヒマシ油またはヒマシ油脂肪酸と低分子ポリオール・ポリエステルポリオール・ホリエーテルポリオールとのエステル交換物、ヒマシ油のジオール型の部分脱水化物や部分アシル化物、これらの水添物等）などを利用できる。
【００５１】
第１及び第２のポリウレタン系形状記憶樹脂Ｐ１，Ｐ２において、イソシアネート成分は、例えば、４，４｀−ジフェニルメタンジイソシアネート、２，４−ジフェニルメタンジイソシアネート、カルボジミド変性ジフェニルメタンジイソシアネート、ポリメライズドジフェニルメタンジイソシアネート、水添ジフェニルメタンジイソシアネート、トリレンジイソシアネート、キシリレンジイソシアネート、ヘキサメチレンジイソシアネート、トリメチルヘキサメチレンジイソシアネート、イソホロンジイソシアネート、フェニレンジイソシアネート、ナフタレンジイソシアネート、トリフェニルメタンジイソシアネート、ジフェニルスルホンジイソシアネート、３−イソシアネートメチルー３，５，５−トリメチルシクロヘキシルイソシアネート、３−イソシアネートエチルー３，５，５−トリメチルシクロヘキシルイソシアネート、３−イソシアネートエチルー３，５，５−トリエチルシクロヘキシルイソシアネートをはじめとする種々のポリイソシアネート、ジフェニルプロバンジイソシアネート、ジフェニルエーテルー４，４´―ジイソシアネート、シクロヘキシリレンジイソシアネート、３，３´―ジイソシアネートジプロピルエーテル、あるいはこれらのポリイソシアネートのウレタン変性体、二量体、三量体、カルボジイミド変性体、アロハネート変性体、ウレア変性体、ビウレット変性体、通常のプレポリマー、ブロック化物（フェノール類、オキシム類、イミド類、メルカプタン類、アルコール類、ε―カプロラクタム、エチレンイミン、α―ピロリドン、マロン酸ジエチル、亜硫酸水素ナトリウム、ホウ酸等でブロック化したもの）などが用いられる。特に、樹脂の変色が問題となる場合は、ヘキサメチレンジイソシアネート、イソホロンジイソシアネートなどの無黄変ポリイソシアネートを選択使用することが望ましい。
【００５２】
樹脂ワイヤーＸにおいて、第１及び第２のポリウエタン系形状記憶樹脂Ｐ１，Ｐ２に配合可能な他の添加剤としては、鎖延長剤（短鎖のジオール類、トリメチロールプロパン等）、フィラーないし顔料（水酸化アルミニウムナ、タルク、クレー、炭酸カルシウム、バライタ粉、シリカ粉、アルミナ、カーボンブラック、酸化チタン、酸化鉄等）、難燃剤（リン化合物、ハロゲン化合物、酸化アンチオモン等）、酸化防止剤、老化防止剤、紫外線吸収剤、水分吸収剤、消泡剤、防カビ剤、架橋剤、シラン系やチタン系のカップリング剤、フタル酸エステル系、トリメリット酸エステル系可塑剤などの各種の添加剤や公知のウレタン化触媒を必要に応じて配合できる。
【００５３】
樹脂ワイヤーＸは、例えば、図５に示す「弾性率Ｅ１の温度依存性」及び図６に示す「動的粘弾性率の温度依存性」の特性（関係）を有する第１のポリウレタン系形状記憶樹脂（熱硬化性のポリウレタン系形状記憶樹脂）と、図５に示す「弾性率Ｅ２の温度依存性」及び図７に示す「動的粘土弾性率の温度依存性」の特性（関係）を有する第２のポリウレタン系形状記憶樹脂（熱硬化性のポリウレタン系形状記憶樹脂）にて、中央下底部１、身体中心側立部２及び腋下側立部３を一体に形成（架橋結合）する。
図５乃至図７に示す特性（関係）を有する第１及び第２のポリウレタン系形状記憶樹脂Ｐ１，Ｐ２（熱硬化性のポリウレタン系形状記憶樹脂）は、同一の主成分にて構成され、ポリメリックイソシアネート、ポリエーテルポリオール、トリメリット酸エステルの可塑剤、及び水酸化アルミニウムでなる。
第１及び第２のポリウレタン系形状記憶樹脂Ｐ１，Ｐ２の成分比は、第１のポリウレタン系形状記憶Ｐ１において、ポリメリックイソシアネート：ポリエーテルポリオール：トリメリット酸エステルの可塑剤：水酸化アルミニウム＝２８：５１：１２：１１であり、第２のポリウレタン系形状記憶樹脂Ｐ２において、ポリメリックイソシアネート：ポリエーテルポリオール：トリメリット酸エステルの可塑剤：水酸化アルミニウム＝３１：５６：１：１２である。
このように、第１及び第２のポリウレタン系形状記憶樹脂Ｐ１，Ｐ２は、成分比とすることで、架橋点（架橋結合している間の鎖の長さ）を調整して、相互に相異する性質・特定［ガラス転移温度、弾性率、複素弾性率（損失弾性率及び貯蔵弾性率）、損失正接：ｔａｎδ］とする。
【００５４】
図５乃至図７において、ポリウレタン系形状記憶樹脂Ｐ１，Ｐ２は、「動的粘弾性測定法（動的粘弾性測定）」を用いて動的粘性特性［弾性率、複素弾性率（損失弾性率、及び貯蔵弾性率）、損失弾性率、損失正接（又は損失係数：ｔａｎδ）］を測定及び算出（算出）した。
なお、貯蔵弾性率と損失弾性率を加算（貯蔵弾性率＋損失弾性率）した値は、複素弾性率（複素弾性率＝貯蔵弾性率＋損失弾性率）となる。
損失正接（損失係数）：ｔａｎδは、損失弾性率及び貯蔵弾性率の比であって、ｔａｎδ＝（損失弾性率／貯蔵弾性率）となる。
貯蔵弾性率は、第１及び第２のポリウレタン系形状記憶樹脂の弾性成分を表し、損失弾性率は、第１及び第２のポリウレタン系形状記憶樹脂の粘性成分を表している。
【００５５】
＜測定試料（測定サンプル）＞
第１のポリウレタン系形状記憶樹脂Ｐ１は、長さ：１２．００ｍｍ、幅：５．６２０ｍｍ、及び厚さ：０．９５０ｍｍの直方体樹脂を測定試料（測定サンプル）とした。
第２のポリウレタン系形状記憶樹脂Ｐ２は、長さ：１２．０００ｍｍ、幅：５．６６０ｍｍ及び厚さ：１．０００ｍｍの直方体樹脂を測定試料（測定ランプル）とした。
【００５６】
＜測定方法＞
動的粘弾性測定法（動的粘弾性測定）では、エスアイアイ・ナノテクノロジー株式会社（現：株式会社日立ハイテクサイエンス）製の「粘度測定装置（ＤＭＳ６１００）」を使用した。
第１及び第２のポリウレタン系形状記憶樹脂Ｐ１，Ｐ２の各測定試料に対して、時間：０．３分（１８秒）毎に周波数：１０Ｈｚによる正弦波力（歪振幅）を印加し、及び各測定試料を時間：１分（６０秒）間に４℃（セルシウス度）昇温して、各測定試料について、時間０．３分（１８秒）毎の温度、弾性率、複素弾性率（貯蔵弾性率及び損失弾性率）、及び損失正接：ｔａｎδを測定及び算出（演算）した。
動的粘弾性測定方法において、第１及び第２のポリウレタン系形状記憶樹脂Ｐ１，Ｐ２の各測定試料は、時間：１分（６０秒）毎に４℃昇温させて、−５１℃から１５０℃まで加熱した。
【００５７】
＜測定結果＞
第１のポリウレタン系形状記憶樹脂Ｐ１（測定試料）の弾性率Ｅ１（ＧＰａ）及び温度（℃）の関係を図５の「弾性率の温度依存性」のグラフとして示す。
【００５８】
第２のポリウレタン系形状記憶樹脂Ｐ２（測定試料）の弾性率Ｅ２（ＧＰａ）及び温度（℃）の関係を図５の「弾性率の温度依存性」のグラフとして示す。
【００５９】
第１のポリウレタン系形状記憶樹脂Ｐ１（測定試料）の損失正接：ｔａｎδと温度（℃）の関係を図６の「動的粘弾性率の温度依存性」のグラフとして示す。
図６において、損失正接（ｔａｎδ１：損失係数）が極大値（最大値）を示す温度を第１ガラス転移温度Ｔｈ１（損失正接：ｔａｎδ１の第１ガラス転移温度Ｔｈ１、又は動的ガラス転移温度）とする。
【００６０】
第２のポリウレタン系形状記憶樹脂Ｐ２（測定試料）の損失正接：ｔａｎδと温度（℃）の関係を図７の「動的粘弾性率の温度依存性」のグラフとして示す。
図７において、損失正接（ｔａｎδ２：損失係数）が極大値（最大値）を示す温度を第２ガラス転移温度Ｔｈ２（損失正接：ｔａｎδ２の第２ガラス転移温度Ｔｈ２、又は動的ガラス転移温度）とする。
【００６１】
＜弾性率の温度依存性の評価＞
動的粘弾性測定法（動的粘弾性測定）において、第１のポリウレタン系形状記憶樹脂Ｐ１（中央下底部１）は、図５に示すように、第１ガラス転移温度Ｔｇ１（人体の体温未満）であって、Ｔｇ１＝２０℃を有する。
動的粘弾性測定法（動的粘弾性測定）において、第２のポリウレタン系形状記憶樹脂Ｐ２（身体中心側立部２及び腋下側立部３）は、図５示すように、第２ガラス転移温度Ｔｇ２（人体の体温を超える温度）であって、Ｔｇ２＝４５℃を有する。
【００６２】
第１のポリウレタン系形状記憶樹脂Ｐ１、及び第２のポリウレタン系形状記憶樹脂Ｐ１，Ｐ１は、図５に示すように、第１及び第２ガラス転移温度Ｔｇ１，Ｔｇ２未満のガラス領域ＧＡ１，ＧＡ２、即ち、人体の体温未満（温度：２０℃未満）において、略同一の弾性率Ｅ１，Ｅ２（ＧＰａ）を有する。
第１のポリウレタン系形状記憶樹脂Ｐ１の弾性率Ｅ１は、図５に示すように、第１ガラス転移温度Ｔｇ１未満（人体の体温未満）であって、温度（℃）：−５９．０００℃〜２０．０００℃の範囲において、Ｅ１＝３．１００（ＧＰａ）〜２．２００（ＧＰａ）を有する。第２のポリウレタン系形状記憶樹脂Ｐ２の弾性率Ｅ２（ＧＰａ）は、図５に示すように、人体の体温未満（第２ガラス転移温度Ｔｇ２＝４５℃未満／ガラス領域ＧＡ２）であって、温度：−５４．９６０℃〜２０．０００℃の範囲において、Ｅ２＝２．５００〜１．５００（ＧＰａ）を有する。
これにより、第１及び第２のポリウレタン系形状記憶樹脂Ｐ１，Ｐ２（中央下底部１、身体中心側立部２及び腋下側立部３）において、人体の体温未満の弾性率Ｅ１，Ｅ２（ＧＰａ）は、例えば、Ｅ１＝Ｅ２＝１．５００（ＧＰａ）以上、又は３．１００〜１．５００（ＧＰａ）の範囲の任意の値（任意の１の弾性率Ｅ１，Ｅ２）を有する。
【００６３】
第２のポリウレタン系形状記憶樹脂Ｐ２の弾性率Ｅ２は、図５に示すように、人体の体温未満であって、第２ガラス転移温度Ｔｇ２未満（Ｔｇ２＝４５℃未満／ガラス領域ＧＡ２）において、Ｅ２＝１．５００（ＧＰａ）以上、又はＥ２＝２．５００〜１．５００（ＧＰａ）を有する。
これにより、樹脂ワイヤーＸにおいて、第２のポリウレタン系形状記憶樹脂Ｐ２（身体中心側立部２及び腋下側立部３）は、第１ガラス転移温度Ｔｇ１以上及び第２ガラス転移温度Ｔｇ２＝４５℃未満（ガラス領域ＧＡ２）において、人体の体温によって変形（二次賦形）されることなく、身体中心側立部２、腋下側立部３を形状記憶（一次賦形）された形状（円孤形状、円孤直線形状）に保持（維持）する、弾性率Ｅ２［Ｅ＝２．０００（ＧＰｅ）以上、又はＥ２＝２．４００〜２．０００（ＧＰａ）］を有し、バストＢＵの身体中心側及び腋下側を確実に保持する機能を発揮する。
【００６４】
第１のポリウレタン系形状記憶樹脂Ｐ１（中央下底部１）は、図５に示すように、第１ガラス転移温度Ｔｇ１以上（Ｔｇ１＝２０℃以上）、即ち、第１ガラス転移温度Ｔｇ１以上のガラス転移領域ＧＭ１（図５の温度（℃）：２２．１３０℃〜４５．０９０℃）において、人体の体温未満（第１ガラス転移温度Ｔｇ１＝２０℃未満／ガラス領域ＧＭ１）の弾性率Ｅ１＝２．０００（ＧＰａ）以上に比して、低い弾性率Ｅ１（小さい弾性率）を有する。
図５において、第１のポリウレタン系形状記憶樹脂Ｐ１（中央下底部１）は、温度（℃）：２２．１３０℃〜４５．０９０℃において、弾性率Ｅ１：１．９００（ＧＰａ）〜０．５９０（ＧＰａ）を有する。
これにより、第１のポリウレタン系形状記憶樹脂Ｐ１（中央下底部１）は、第１ガラス転移温度Ｔｇ１以上（Ｔｇ１＝２０℃以上）のガラス転移領域ＧＭ１において、中央下底部１を人体の体温によって形状記憶（一次賦形）された形状から変形（二次賦形）する、弾性率Ｅ１を有し、中央下底部１を人体の体ＢＯ（人体の肌、肋骨ＨＢ等）又はバストＢＵに沿った形状に変形（三次元的な変形）する機能を発揮する。
また、第１のポリウレタン系形状記憶樹脂Ｐ１は、第１ガラス転移温度Ｔｇ１以上（Ｔｇ１＝２０℃以上）のガラス転移領域ＧＭ１において、温度上昇に伴って弾性率Ｅ１を低下させる性質・特性（小さくする性質・特定）を有して、中央下底部１を変形し易くする。
【００６５】
第１のポリウレタン系形状記憶樹脂Ｐ１（中央下底部１）は、図５に示すように、第１ガラス転移温度Ｔｇ１以上（Ｔｇ１＝２０℃以上）、及び第２ガラス転移温度Ｔｇ２未満（Ｔｇ２＝４５℃）の間の温度、例えば、温度（℃）：２２．１３０℃〜４４．０００℃において、弾性率Ｅ１：１．９００（ＧＰａ）〜０．６５０（ＧＰａ）を有する。
第２のポリウレタン系形状記憶樹脂Ｐ２（身体中心側立部２及び腋下側立部３）は、図５に示すように、第１ガラス転移温度Ｔｇ１以上（Ｔｇ１＝２０℃以上）、及び第２ガラス転移温度Ｔｇ２未満（Ｔｇ２＝４５℃未満）の間の温度、例えば、温度（℃）：２１．５８０℃〜４４．２９０℃において、弾性率Ｅ２：２．０００（ＧＰａ）〜１．６００（ＧＰａ）を有する。
図５から、第１のポリウレタン系形状記憶樹脂Ｐ１（中央下底部１）は、第１ガラス転移温度Ｔｇ１以上及び第２ガラス転移温度Ｔｇ２未満の間の同一温度において、第２のポリウレタン系形状記憶樹脂Ｐ２（身体中心側立部２及び腋下側立部３）の弾性率Ｅ２より小さい弾性率Ｅ１を有する。
【００６６】
第１のポリウレタン系形状記憶樹脂Ｐ１（中央下底部１）は、図５に示すように、温度（℃）＝３４．３６０℃〜３７．０２０℃にて弾性率Ｅ１＝１．３００〜１．１００（ＧＰａ）を有する。
第２のポリウレタン系形状記憶樹脂Ｐ２（身体中心側立部２及び腋下側立部３）は、図５に示すように、温度（℃）＝３４．３４０℃〜３７、７００℃にて弾性率Ｅ２＝１．８００（ＧＰａ）を有する。
これにより、第１のポリウレタン系形状記憶樹脂Ｐ１（中央下底部１）は、温度（℃）＝３６℃〜３７℃（人体の体温／人体の平均体温）の間の温度において、第２のポリウレタン系形状記憶樹脂Ｐ２（身体中心側立部２及び腋下側立部３）の弾性率Ｅ２［Ｅ２＝１．８００（ＧＰａ）］に対して、０．７２〜０．６２倍［１．３００／１．８００〜１．１００／１．８００倍］の弾性率Ｅ１を有する。
【００６７】
＜動的粘弾性率の温度依存性の評価＞
第１のポリウレタン系形状記憶樹脂Ｐ１（測定試料）は、図６に示すように、動的粘弾性測定方法（動的粘弾性測定）において、損失正接（損失係数）の極大値（最大値）：ｔａｎδ１＝０．５７３５を有する。
第１のポリウレタン系形状記憶樹脂Ｐ１（測定試料）は、図６に示すように、動的粘弾性測定方法において、損失正接（損失係数）が極大値（ｔａｎδ１＝０．５７３５）を示す損失正接の第１ガラス転移温度Ｔｈ１＝６３．９３０℃（動的第１ガラス転移温度）を有する。
【００６８】
第１のポリウレタン系形状記憶樹脂Ｐ１（測定試料）の損失正接（損失係数）：ｔａｎδ１は、図６に示すように、温度（℃）＝２０℃から損失正接：ｔａｎδ１の第１ガラス転移温度Ｔｈ１（動的ガラス転移温度）の間（人体の体温未満の温度以上、例えば、温度：２０℃以上）において、温度上昇に伴って、徐々に（漸次）、増加している。図６において、温度＝２０．４２０℃でｔａｎδ１＝０．０６７５、温度＝４０．３２０℃でｔａｎδ１＝０．２３８を示している。
損失正接（損失係数）は、ｔａｎδ＝（損失弾性率Ｅ１ａ／貯蔵弾性率Ｅ１ｂ）で定義されることから、損失正接（損失係数）：ｔａｎδの増加は、複素弾性率の粘性成分を示す損失弾性率Ｅ１ａを大きくし、及び複素弾性率の弾性成分を示す貯蔵弾性率Ｅ１ｂを小さくすることを意味する。
このように、第１のポリウレタン系形状記憶樹脂Ｐ１（測定試料）は、動的粘弾性測定法（動的粘弾性測定）において、温度（℃）＝２０℃（人体の体温未満の温度）から損失正接：ｔａｎδ１のガラス転移温度Ｔｈ１＝６３．９３０℃の間において、温度上昇に伴って、複素弾性率の貯蔵弾性率Ｅ１ａを徐々に（漸次）、低下させる性質・特性（小さくする性質・特性）を有する。
【００６９】
これにより、樹脂ワイヤーＸにおいて、第１のポリウレタン系形状記憶樹脂Ｐ１（中央下底部１）は、温度（℃）＝２０℃（人体の体温未満の温度）から損失正接：ｔａｎδ１（ｔａｎδ１＝０．５７３５）の第１ガラス転移温度Ｔｈ１（Ｔｈ１＝６３．９３０℃）の間において、中央下底部１を人体の体温によって形状記憶（一次賦形）された形状から変形（二次賦形）する、複素弾性率（損失弾性率Ｅ１ａ及び貯蔵弾性率Ｅ１ｂ）を有し、中央下底部１を人体の体ＢＯ（人体の肌、肋ＨＢ骨等）又はバストＢＵに沿った形状に変形（三次元的な変形）する機能を発揮する。
【００７０】
第２のポリウレタン系形状記憶樹脂Ｐ２（測定試料）は、図７に示すように、動的粘弾性測定方法において、損失正接（損失係数）の極大値（最大値）：ｔａｎδ２＝０．５９６２、及び温度（℃）＝６９．６２０℃である。
第２のポリウレタン系形状記憶樹脂Ｐ２（測定試料）は、動的粘弾性測定法において、損失正接（損失係数）が極大値（ｔａｎδ２＝０．５９６２）を示す損失正接の第２ガラス転移温度Ｔｈ１＝６９．６２０℃（動的第２ガラス転移温度）を有する。
【００７１】
第２のポリウレタン系形状記憶樹脂Ｐ２（測定試料）の損失正接（損失係数）：ｔａｎδ２は、図７に示すように、人体の体温を超える温度及び損失正接の第２ガラス転移温度Ｔｈ２の間の温度であって、人体の体温を超える温度未満（例えば、温度：４５℃未満）において、温度変動（温度低下／温度下降）しても、略一定の値（一定の間）に維持される。図７において、温度＝４５．３７０℃でｔａｎδ２＝０．０７３３、温度＝３６．６００℃でｔａｎδ２＝０．０３９３を示しており、ｔａｎδ２＝０。０７３３以下の値に維持される。
このように、第２のポリウレタン系形状記憶樹脂Ｐ２（測定試料）は、動的粘弾性測定法において、人体の体温を超える温度未満（温度：４５℃未満）において、複素弾性率の貯蔵弾性率Ｅ２ｂ（弾性成分）を略一定の間に維持（一定の値に維持）する性質・特性を有する。
【００７２】
第２のポリウレタン系形状記憶樹脂Ｐ２（測定試料）の損失正接（損失係数）は、図７に示すように、温度（℃）＝４５℃（人体の体温を超える温度）から損失正接：ｔａｎδ２の第２ガラス転移温度Ｔｈ２の間において、温度上昇に伴って、徐々に（漸次）、増加している。
このように、第２のポリウレタン系形状記憶樹脂Ｐ２（測定試料）は、動的粘弾性測定法において、人体の体温及び損失正接の第２ガラス転移温度Ｔｈ２の間の温度であって、温度（℃）＝４５℃（人体の体温を超える温度）から損失正接：ｔａｎδ２の第２ガラス転移温度Ｔｈ２の間において、温度上昇に伴って、複素弾性率の貯蔵弾性率Ｅ２ｂ（弾性成分）を徐々に（漸次）、低下する性質・特定（小さくする性質・特性）を有する。図７において、温度＝５５．６９℃でｔａｎδ２＝０．３８９、温度＝６４．９２０℃でｔａｎδ２＝０．５６０５を示している。
これにより、樹脂ワイヤーＸにおいて、第２のポリウレタン系形状記憶樹脂Ｐ２（身体中心側立部２及び腋下側立部３）は、人体の体温未満の温度から人体の体温を超える温度の範囲［温度（℃）＝２０℃〜４５℃の範囲］において、人体の体温によって変形（二次賦形）されることなく、身体中心側立部２及び腋下側立部３を形状記憶（一次賦形）された形状（円孤形状、円孤直線形状）に維持する、略一定（一定）の複素弾性率（損失弾性率Ｅ１ａ及び貯蔵弾性率Ｅ１ｂ）を有し、バストＢＵの身体中心側及び腋下側を確実に保持する機能を発揮する。
【００７３】
樹脂ワイヤーＸの製造（製造方法）は、常温で液状の第１及び第２のポリウレタン系形状記憶樹脂Ｐ１，Ｐ２を金型のワイヤー溝に流し込み、化学反応によって硬化させて成形（形成）する。
金型には、図１及び図３に示す「樹脂ワイヤーＸの形状（円孤半径Ｒ、各円孤長ｌ１，ｌ２、円孤直線長ｌ３、ワイヤー幅Ｈ及びワイヤー厚さＴ）」のワイヤー溝を形成する。金型において、ワイヤー溝の溝幅は、ワイヤー幅Ｈであり、ワイヤー溝の溝深さは、ワイヤー厚さＴである。
第１及び第２のポリウレタン系形状記憶樹脂Ｐ１，Ｐ２は、動的粘弾性測定法（動的粘弾性測定）で説明したと同様に、ポリオール成分、ポリイソシアネート成分、及び取りメリット酸エステルの可塑剤、及び水酸化アルミニウムを混合した成分である。
【００７４】
金型において、複数（２枚）の仕切板（金属仕切板）をワイヤー溝内に挿入する。各仕切板は、図３に示す「樹脂ワイヤーＸの第１境界点Ａ及び第２境界点Ｂ」に対応する、ワイヤー溝内に配置され、ワイヤー溝を中央下底部１に相当するワイヤー溝部分、身体中心側立部２に相当するワイヤー溝部分、及び腋下側立部３に相当するワイヤー溝部分に区画する。
金型において、常温で液状の第１のポリウレタン系形状記憶樹脂Ｐ１を中央下底部１に相当するワイヤー溝部分に流し込み、及び常温で液状の第２のポリウレタン系形状記憶樹脂Ｐ２を身体中心側立部２の相当するワイヤー溝部分、及び腋下側立部３に相当するワイヤー溝部分に流し込む。このとき、第１及び第２のポリウレタン系形状記憶樹脂Ｐ１，Ｐ２は液状を示している間において、各ワイヤー溝部分に流し込んだ。
第１及び第２のポリウレタン系形状記憶樹脂Ｐ１，Ｐ２を各ワイヤー溝部分に流し込んだ後、第１及び第２のポリウレタン系形状記憶樹脂Ｐ１，Ｐ２がゾル状態を示している間に各仕切板を金型（ワイヤー溝内）から取り外した。
各仕切板を金型から取り外した後、温度：２５℃にて１６時間放置して、第１及び第２のポリウレタン系形性樹脂Ｐ１，Ｐ２を硬化して、中央下底部１（第１のポリウレタン系形状記憶樹脂Ｐ１）、身体中心側立部２及び腋下側立部３（第２のポリウレタン系形状記憶樹脂Ｐ２）を一体に結合（架橋結合）させた後に、金型のワイヤー溝内から取り外して、樹脂ワイヤーＸを得た。
【００７５】
第１及び第２のポリウレタン系形状記憶樹脂Ｐ１，Ｐ２の硬化条件は、使用する硬化設備に応じて適宜決めれば良い。
具体例を説明すると、第１及び第２のポリウレタン系形状記憶樹脂（ポリオール成分、ポリイソシアネート成分及びトリメリット酸エステルの可塑剤、及び水酸化アルミニウムの混合液）を温度：６０℃にて１時間加熱して、金型の各ワイヤー溝部分に流し込んで、第１及び第２のポリウレタン系形状記憶樹脂Ｐ１，Ｐ２がワイヤー溝から流れ出ない状態まで硬化させて、各仕切板を金型（ワイヤー溝内）から取り外し後、常温で４日程度放置することで、樹脂ワイヤーＸＷ得ることもできる。
また、第１及び第２のポリウレタン系形状記憶樹脂（ポリオール成分、ポリイソシアネート成分及びトリメリット酸エステルの可塑剤、及び水酸化アルミニウムの混合液）を温度：６０℃にて１時間加熱して、金型の各ワイヤー溝部分に流し込んで、第１及び第２のポリウレタン系形状記憶樹脂Ｐ１，Ｐ２がワイヤー溝から流れ出ない状態まで硬化させて、各仕切板を金型（ワイヤー溝内）から取り外し後、更に、第１及び第２のポリウレタン系形状記憶樹脂Ｐ１，Ｐ２を金型から取り外せるまで硬化させた後に、金型から取り外して型崩れしないように常温で放置することで、樹脂ワイヤーＸを得ることもできる。
【００７６】
樹脂ワイヤーＸは、常温で液状の第１及び第２のポリウレタン系形状記憶樹脂Ｐ１，Ｐ２を金型の各ワイヤー溝部分に流し込んで常温にて硬化させる方法の他に、密閉された金型のワイヤー溝穴内に常温で液状の第１及び第２のポリウレタン系形状記憶樹脂Ｐ１，Ｐ２を圧入して硬化する方法でも成形（形成）できる。
また、樹脂ワイヤーＸは、リム成型法、トランスファーモールディング方法等を用いて得ることもできる。
更に、２種類の第１及び第２のポリウレタン系形状記憶樹脂Ｐ１，Ｐ２で１本の樹脂ワイヤーＸを成形（形成）するには、金型に第１及び第２のポリウレタン系形状記憶樹脂を注入して一体に結合（架橋結合）する２色成型法を適用できる。
【００７７】
次に、カップ部用樹脂ワイヤーＸを適用（装着）した、第１及び第２実施形態のカップ部付き衣類について、図１乃至図３５を参照して説明する。
【００７８】
＜第１実施形態＞
以下、第１実施形態のカップ部付き衣類について、図１乃至図２１を参照して説明する。
なお、図８乃至図２１において、図１乃至図５と同一符号は、同一部材、同一構成であるので、その詳細な説明は省略する。
【００７９】
図８乃至図２１において、第１実施形態のカップ部付き衣類Ｙ１は、例えば、ブラジャーである（以下、「ブラジャーＹ１」という）。
【００８０】
ブラジャーＹ１は、図８乃至図２１に示すように、衣類本体５１、左右一対のカップ部Ｚ１，Ｚ２、左右一対の肩掛け用ストラップ５２，５２（肩掛け紐）、複数（２本）の袋状テープＷ，Ｗ（ワイヤーループ）、複数（２本）のカップ部用樹脂ワイヤーＸ，Ｘ（以下、「樹脂ワイヤーＸ」という）を備える。
【００８１】
衣類本体５１は、図８及び図９に示すように、ブラジャー本体であって（以下、「ブラジャー本体５１」という）、左右一対のバック布部５３，５４、及び土台布部５５を有して構成される。各バック布部５３，５４及び土台布部５５は、例えば、伸縮性の布生地にて継目なく一体に形成される。各バック布部５３，５４、及び土台布部５５（ブラジャー本体５１）は、身体（人体）への装着時、身体の肌（人体の体ＢＯであって、胴や背中等）に接触する布肌面５６を有する。
【００８２】
各カップ部Ｚ１，Ｚ２は、図８、図９、図１２及び図１４に示すように、人体の各バストＢＵ，ＢＵ（左右のバスト）を覆って、各バストＢＵ，ＢＵ（乳房）を保持（保形）する。
【００８３】
各カップ部Ｚ１，Ｚ２は、クッション材、例えば、軟質ポリウレタンフォーム（軟質発泡ポリウレタン）で構成される。
各カップ部Ｚ１，Ｚ２は、例えば、表面布５７（表生地）、肌面布５８（裏生地）及びカップ芯材５９で構成される。
【００８４】
表面布５７、肌面布５８は、伸縮性の生地、例えば、ニット生地、トリコット生地（ツーウェイ・トリコット生地）等で形成される。
カップ芯材５９は、クッション材であって、例えば、軟質ポリウレタンフォーム（軟質発泡ポリウレタン）で形成される。
【００８５】
各カップ部Ｚ１，Ｚ２において、表面布５７は、図８、図９、図１２及び図１４に示すように、前後方向ＦＲにおいて、カップ芯材５９の表面（前面）を覆って、カップ芯材５９の表面（前面）に接着して取付けられる。
肌面布５８は、図１２及び図１４に示すように、前後方向ＦＲにおいて、カップ芯材５９の裏面（後面）を覆って、カップ芯材５９の裏面に接着して取付けられる。
前後方向ＦＲは、身体の立位姿勢（人体の立位姿勢）において、上下方向ＵＤ及び左右方向ＬＲと直交する方向であって、人体の胸方向（バスト方向）を前方（前方向）とし、人体の背中方向を後方（後方向）とする。
【００８６】
各カップ部Ｚ１，Ｚ２は、図１２及び図１４に示すように、表面布５７及び肌面布５８の間にカップ芯材５９を配置して、三層積層体に形成される。
各カップ部Ｚ１，Ｚ２は、前後方向ＦＲの前方（前方向）に突出（膨出）する椀状に形成され、表面布５７及び肌面布５８をカップ芯材５９に一体に接着（溶融接着／溶着）する。
これにより、各カップ部Ｚ１，Ｚ２は、図１２及び図１４に示すように、前後方向ＦＲの前方（表面布５７側）に膨出（突出）され、表面布５７（カップ芯材５９の表面）の湾曲凸表面Ｚａ、及び肌面布５８（カップ芯材５９の裏面）の湾曲凹肌面Ｚｂ（湾曲凹裏面）を有する。湾曲凹肌面Ｚｂは、バストＢＵ（乳房）に沿った湾曲形状に形成される。
【００８７】
各カップ部Ｚ１，Ｚ２は、図８及び図９に示すように、上端湾曲縁６０、腋側湾曲縁６１及び下端湾曲縁６２を有する。
上端湾曲縁６０は、腋側湾曲縁６１及び下端湾曲縁６２の間に位置して、上端湾曲縁６０及び下端湾曲縁６２に連続される。
腋側湾曲縁６１は、上端湾曲縁６０及び下端湾曲縁６２の間に位置して、上端湾曲縁６０及び下端湾曲縁６２に連続される。
下端湾曲縁６２は、上端湾曲縁６０及び腋側湾曲縁６１の間に位置して、上端湾曲縁６０及び腋側湾曲縁６１に連続される。
これにより、上端湾曲縁６０、腋側湾曲縁６１及び下端湾曲縁６２は、各カップ部Ｚ１，Ｚ２の周縁を構成する。
【００８８】
各カップ部Ｚ１，Ｚ２は、図８乃至図１５に示すように、折曲湾曲線ＬＸ、及びカップ支持部６３を有する。折曲湾曲線ＬＸは、各カップ部Ｚ１，Ｚ２の下端湾曲縁６２からカップトップａ側に間隔を隔てて配置され、下端湾曲縁６２に沿って延在される。
カップ支持部６３は、各カップ部Ｚ１，Ｚ２の下端湾曲縁６２及び折曲湾曲線ＬＸの間の表面布５７、肌面布５８及びカップ芯材５９で構成（形成）される。カップ支持部６３は、折曲湾曲線ＬＸに沿って、前後方向ＦＲの前方（ブラジャー本体５１側）に折曲げられて形成される。
カップ支持部６３は、図１０乃至図１６に示すように、身体の立位姿勢（人体の立位姿勢）での上下方向ＵＤにおいて、バストＢＵの下部側に配置される下部側部分６３Ａと、身体の立位姿勢での左右方向ＬＲにおいて、バストＢＵの身体中心側に配置される身体中心側部分６３Ｂと、身体の立位姿勢での左右方向ＬＲにおいて、バストＢＵの腋下側に配置される腋下側部分６３Ｃとを有して構成される。
【００８９】
各カップ部Ｚ１，Ｚ２は、図８乃至図１１に示すように、左右方向ＬＲにおいて、ブラジャー本体５１（土台布部５５）の中心（中央）を境として左右側に並設されて、ブラジャー本体５１（衣類本体）に取付けられる。
各カップ部Ｚ１，Ｚ２は、図８乃至図１６に示すように、前後方向ＦＲにおいて、カップ支持部６３の表面（表面布５７）をブラジャー本体５１（各バック布部５３，５４、土台布部５５）の布肌面５６に対峙して配置される。
各カップ部Ｚ１，Ｚ２は、図１０乃至図１６に示すように、カップ支持部６３の下部側部分６３Ａ及び身体中心側部分６３Ｂを土台布部５５に位置し、及びカップ支持部６３の腋下側部分６３Ｃを各バック布部５３，５４に位置して配置される。
【００９０】
ブラジャー本体５１（衣類本体）において、各バック布部５３，５４及び土台布部５５は、図１２乃至図１６に示すように、各カップ部Ｚ１，Ｚ２のカップ支持部６３に対応する折返し布部６５を有する。折返し布部６５は、図１２乃至図１６に示すように、各バック布部５３，５４及び土台布部５５（ブラジャー本体５１）の布縁側を、各カップ部Ｚ１，Ｚ２のカップ支持部６３（下部側部分６３Ａ、身体中心側部分６３Ｂ、腋下側部分６３Ｃ）に沿って布肌面５６に折返して形成される。
各バック布部５３，５４及び土台布部５５（ブラジャー本体５１）において、折返し布部６５は、各カップ部Ｚ１，Ｚ２のカップ支持部６３の表面（表面布５７）に当接されて、下部側部分６３Ａ、身体中心側部分６３Ｂ及び腋下側部分６３Ｃに沿って配置される。
ブラジャー本体５１（各バック布部５３，５４、土台布部５５）において、折返し布部６５は、各カップ部Ｚ１，Ｚ２の下端湾曲縁６２（折曲湾曲線ＬＸ）に沿って、各カップ部Ｚ１，Ｚ２のカップ支持部６３に縫着（縫製）される。
これにより、各カップ部Ｚ１，Ｚ２において、カップ支持部６３は、下端湾曲縁６２（折曲湾曲線ＬＸ）に沿って、ブラジャー本体５１（各バック布部５３，５４、土台布部５５）の折返し布部６５に縫着（縫製）されて、ブラジャー本体５１に取付けられる。
左側のカップ部Ｚ１は、左右方向ＬＲにおいて、ブラジャー本体５１（土台布部５５）の中心（中央）を境として、土台布部５５の左側、及び左側のバック布部５３に取付けられる。
右側のカップ部Ｚ２は、左右方向ＬＲにおいて、ブラジャー本体５１（土台布部５５
の中心（中央）を境として、土台布部５５の右側、及び右側のバック布部５４に取付けられる。
【００９１】
袋状テープＷ，Ｗ（ワイヤーループ）は、例えば、クッション性の生地、例えば、ストレッチ生地、トリコット生地（ツーウェー・トリコット生地）で形成される。
袋状テープＷ，Ｗは、筒袋状に形成され、各カップ部Ｚ１，Ｚ２のカップ支持部６３に配置される。
各袋状テープＷ，Ｗは、図９、図１０及び図１１乃至図１６に示すように、前後方向ＦＲにおいて、各カップ部Ｚ１，Ｚ２のカップ支持部６３の裏面（肌面布５８）に当接して配置される。各袋状テープＷ，Ｗは、各カップ部Ｚ１，Ｚ２の下端湾曲縁６２（折曲湾曲線ＬＸ）に沿って延在され、下部側部分６３Ａ、身体中心側部分６３Ｂ及び腋下側部分６３Ｃにわたって配置される。
【００９２】
各袋状テープＷ，Ｗは、図１０乃至図１６に示すように、各カップ部Ｚ１，Ｚ２のカップ支持部６３（下部側部分６３Ａ、身体中心側部分６３Ｂ、腋下側部分６３Ｃ）に縫着（縫製）されて、各カップ部Ｚ１，Ｚ２のカップ支持部６３に取付けられる。
これにより、各袋状テープＷ，Ｗは、身体の立位姿勢（人体の立位姿勢）において、各バストＢＵ，ＢＵの下部側、各バストＢＵ，ＢＵの身体中心側（前中心側）及び各バストＢＵ，ＢＵの腋下側に配置にされる。
各袋状テープＷ，Ｗの各端部Ｗ１，Ｗ２は、図１０及び図１１に示すように、各カップ部Ｚ１，Ｚ２のカップ支持部６３に縫着（縫製）されて閉塞端部（閉鎖端部）を形成する（以下、「閉塞端部ＷＡ，ＷＢ」という）。
【００９３】
各樹脂ワイヤーＸ，Ｘは、図８乃至図１６に示すように、ブラジャーＹ１（カップ部付き衣類）において、人体の各バストＢＵ，ＢＵ（乳房）を覆う各カップ部Ｚ１，Ｚ２に装着される。
各樹脂ワイヤーＸ，Ｘは、図８乃至図１６に示すように、各袋状テープＷ，Ｗ（ワイヤーループ）内に挿入されて、各カップ部Ｚ１，Ｚ２に装着される。
【００９４】
各樹脂ワイヤーＸ，Ｘは、図１２乃至図１６に示すように、ワイヤー厚さＴ（ワイヤー厚さＴの方向）を前後方向ＦＲに向けて、及びワイヤー幅Ｈ（ワイヤー幅Ｈの方向）を上下方向ＵＤ及び左右方向ＬＲに向けて、各カップ部Ｚ１，Ｚ２の袋状テープＷ，Ｗ内に挿入される。
【００９５】
各樹脂ワイヤーＸ，Ｘは、図１０乃至図１３に示すように、上下方向ＵＤにおいて、中央下底部１をカップ支持部６３の下部側部分６３Ａに配置して、各カップ部Ｚ１，Ｚ２の袋状テープＷ，Ｗ内（ワイヤーループ内）に挿入される。
【００９６】
各樹脂ワイヤーＸ，Ｘは、図１０乃至図１２、図１４及び図１６に示すように、左右方向ＬＲにおいて、身体中心側立部２をカップ支持部６３の身体中心側部分６３Ｂに配置して、各カップ部Ｚ１，Ｚ２の袋状テープＷ，Ｗ内（ワイヤーループ内）に挿入される。
【００９７】
各樹脂ワイヤーＸ，Ｘは、図１０乃至図１２、図１４及び図１５に示すように、左右方向ＬＲにおいて、腋下側立部３をカップ支持部６３の腋下側部分６３Ｃに配置して、各カップ部Ｚ１，Ｚ２の袋状テープＷ，Ｗ内（ワイヤーループ内）に挿入される。
これにより、各樹脂ワイヤーＸ，Ｘは、カップ支持部６３の下部側部分６３Ａ、身体中心側部分６３Ｂ及び腋下側部分６３Ｃにわたって配置されて、各カップ部Ｚ１，Ｚ２に装着される。
【００９８】
各樹脂ワイヤーＸ，Ｘは、図１０乃至図１６に示すように、２本の縫製ラインＬＨ，ＬＨ、及び各袋状ループＷ，Ｗによって、各カップ部Ｚ１，Ｚ２のカップ支持部６３に固定される。
２本の縫製ラインＬＨ，ＬＨは、相互に間隔（ワイヤー幅Ｈの間隔）を隔てて配置されて、各カップ部Ｚ１，Ｚ２の下端湾曲縁６２及び折曲湾曲線ＬＸの間に形成される。各縫製ラインＬＨ，ＬＨは、図１０、図１１、図１２、図１５及び図１６に示すように、各カップ部Ｚ１，Ｚ２の下端湾曲縁６２（折曲湾曲線ＬＸ）に沿って湾曲して延在される。
各袋状テープＷ，Ｗ（ワイヤーループ）は、各縫製ラインＬＨ，ＬＨに沿って、各カップ部Ｚ１，Ｚ２のカップ支持部６３（下部側部分６３Ａ、身体中心側部分６３Ｂ及び腋下側部分６３Ｃ）に縫着（縫製）されて、各カップ部Ｚ１，Ｚ２のカップ支持部６３に取付けられる。
各袋状テープＷ，Ｗは、前後方向ＦＲにおいて、カップ支持部６３に間隔（ワイヤー厚さＴの間隔）を隔てて配置されて、各縫製ラインＬＨ，ＬＨに沿って各カップ部Ｚ１，Ｚ２のカップ支持部６３に縫着（縫製）される。
これにより、各袋状テープＷ，Ｗは、図１３、図１５及び図１６に示すように、各縫製ラインＬＨ，ＬＨによって、前後方向ＦＲにワイヤー収納空間ＷＸを区画する。
【００９９】
各樹脂ワイヤーＸ，Ｘは、図１０乃至図１６に示すように、各縫製ラインＬＨ，ＬＨの間において、各カップ部Ｚ１，Ｚ２の袋状テープＷ，Ｗ内（ワイヤーループ内）に挿入される。各樹脂ワイヤーＸ，Ｘは、図１３、図１５及び図１６に示すように、各カップ部Ｚ１，Ｚ２において、ワイヤー収納空間ＷＸ内に挿入して、各カップ支持部６３の裏面（肌面布５８）に配置される。
各ワイヤー収納空間ＷＸ内に配置された各樹脂ワイヤーＸ，Ｘは、前後方向ＦＲ、上下方向ＵＤ及び左右方向ＬＲを含む多方向において、各袋状テープＷ，Ｗに当接する。
各樹脂ワイヤーＸ，Ｘは、身体中心側立部２の端部２Ｂ（第１端点Ｃ）を各袋状テープＷ，Ｗの一方の閉塞端部ＷＡに当接し、及び腋下側立部３の端部３Ｂ（第２端点Ｅ）を各袋状テープＷ，Ｗの他方の閉塞端部ＷＢに当接して、各ワイヤー収納空間ＷＸ（各袋状テープＷ，Ｗ内）に配置（挿入）される。
【０１００】
ブラジャーＹ１において、各肩掛け用ストラップ５２，５２は、図８及び図９に示すように、各カップ部Ｚ１，Ｚ２及び各バック布部５３，５４に取付けられる。
左側の肩掛け用ストラップ５２の一方の端部は、左側のカップ部Ｚ２の上端湾曲縁６０側に縫着（縫製）されて、左側のカップ部Ｚ２に取付けられる。左側の肩掛け用ストラップ５２の他方の端部は、左側のバック布部５３に縫着（縫製）されて、ブラジャー本体５１（バック布部５３）に取付けられる。
右側の肩掛け用ストラップ５２の一方の端部は、右側のカップ部Ｚ２の上端湾曲縁６０側に縫着（縫製）されて、右側のカップ部Ｚ２に取付けられる。右側の肩掛け用ストラップ５２の他方の端部は、右側のバック布部５４に縫着（縫製）されて、ブラジャー本体５１（バック布部５４）に取付けられる。
【０１０１】
図１７乃至図２１において、ブラジャーＹ１（カップ部付き衣類）は、各肩掛け用ストラップ５２，５２を身体（女性）の両肩（各肩）に掛けて、前後方向ＦＲの前方（身体の前方）に配置される。
ブラジャーＹ１は、各カップ部Ｚ１，Ｚ２の湾曲凹肌面Ｚｂを、身体（女性）の各バストＢＵ，ＢＵ（各乳房）に対峙して配置される。
ブラジャーＹ１は、各カップ部Ｚ１，Ｚ２の湾曲凹肌面Ｚｂから各バストＢＵ，ＢＵを各カップ部Ｚ１，Ｚ２内に挿入して、身体（女性）の体ＢＯ（各バストＢＵ）に配置される。
このとき、各カップ部Ｚ１，Ｚ２において、樹脂ワイヤーＸ，Ｘ（袋状テープＷ，Ｗ及びカップ支持部６３）は、図１８乃至図２１に示すように、身体の立位姿勢において、各バストＢＵ，ＢＵのバージスラインＶ，Ｖに沿って配置される。
【０１０２】
各樹脂ワイヤーＸ，Ｘにおいて、中央下底部１は、図４、図１８乃至図２０に示すように、身体の立位姿勢において、各バストＢＵ，ＢＵの下部側（各バージスラインＶ，Ｖの下部側）に配置する。
各樹脂ワイヤーＸ，Ｘにおいて、中央下底部１は、図４に示すように、身体の立位姿勢において、円孤中心線Ｌ１の中心点Ｆを各バストＢＵ，ＢＵのバストトップＴＰ（カップトップ）を通る中心線ＦＸに位置して、各バストＢＵ，ＢＵの下部側に配置する。
各樹脂ワイヤーＸ，Ｘにおいて、中央下底部１（袋状テープＷ）は、図４に示すように、身体（女性）の体格による個人差はあるものの、一般的に、人体の第６肋骨ＨＢ（第６肋骨近傍）に配置して、前後方向ＦＲの前方（前方向）から身体（女性）の体ＢＯ（体ＢＯの肌／第６肋骨ＨＢ）に当接される。各樹脂ワイヤーＸ，Ｘの中央下底部１は、図２０に示すように、各袋状テープＷ，Ｗを介在して、身体（女性）の体ＢＯ（体ＢＯの肌）に当接される。
【０１０３】
各樹脂ワイヤーＸ，Ｘにおいて、身体中心側立部２は、図４及び図１８に示すように、身体の立位姿勢において、各バストＢＵ，ＢＵの身体中心側（各バージスラインＶ，Ｖの身体中心側）に配置する。各樹脂ワイヤーＸ，Ｘにおいて、身体中心側立部２（身体中心側部分６３Ｂ及び袋状テープＷ）は、図４に示すように、身体（女性）の体格による個人差はあるものの、一般的に、人体の胸骨ＣＢ（胸骨ＣＢ近傍）まで配置して、前後方向ＦＲの前方（前方向）から身体（女性）の体ＢＯ（各腋側の体ＢＯの肌）に当接される。各樹脂ワイヤーＸ，Ｘの身体中心側立部２は、各袋状テープＷ，Ｗを介在して、身体（女性）の体ＢＯ（体ＢＯの肌）に当接される。
【０１０４】
各樹脂ワイヤーＸ，Ｘにおいて、腋下側立部３は、図４、図１８及び図１９に示すように、身体の立位姿勢において、各バストＢＵ，ＢＵの腋下側（各バージスラインＶ，Ｖの腋下側）に配置する。
各樹脂ワイヤーＸ，Ｘにおいて、腋下側立部３は、図４及び図１９に示すように、前後方向ＦＲの前方（前方向）から身体（女性）の体ＢＯ（体ＢＯの肌）に当接される。各樹脂ワイヤーＸ，Ｘの腋下側立部３は、各袋状テープＷ，Ｗを介在して、身体（女性）の体ＢＯ（体ＢＯの肌）に当接される。
【０１０５】
各樹脂ワイヤーＸ，Ｘを各バストＢＵ，ＢＵのバージスラインＶ，Ｖに沿って配置し、及び各カップ部ＢＵ，ＢＵ内に各バストＢＵ，ＢＵを挿入すると、ブラジャー本体５１の各バック布部５３，５４及び土台布部５５を前後方向ＦＲの後方（人体の背側）に引張り、及び上下方向ＵＤの下方（人体の腹側）に引き下げて、各カップ部Ｚ１，Ｚ２内に各バストＢＵ，ＢＵを収納する。
ブラジャー本体５１の各バック布部５３，５４は、引張り及び引下げつつ身体（女性）の背に回されて、フック及びフック穴（図示しない）によって、相互に連結される。
これにより、ブラジャーＹ１は、身体（女性）の体ＢＯ（各バストＢＵ，ＢＵ）に装着される。
【０１０６】
ブラジャーＹ１（カップ部付き衣類）を、身体（女性）の体ＢＯ（各バストＢＵ，ＢＵ）に装着すると、必要に応じて、人体の各腋下側のバストＢＵ，ＢＵを身体中心側に引寄せて、各カップ部Ｚ１，Ｚ２内に収納する（各バストＢＵ，ＢＵの腋下側を各カップ部Ｚ１，Ｚ２内に収納して、バストアップする）。
このように、ブラジャーＹ１（カップ部付き衣類）を身体（女性）の体ＢＯ（各バストＢＵ，ＢＵ）に装着すると、各肩掛け用ストラップ５２，５２には、図１７乃至図１９に示すように、各カップ部Ｚ１，Ｚ２を上下方向ＵＤの上方（人体の頭部側）に引上げようとする引上力ＦＵが作用する。
ブラジャーＹを身体（女性）の体ＢＯ（各バストＢＵ，ＢＵ）に装着すると、左側のバック布部５３及び土台布部５５には、図１７乃至図１９に示すように、各カップ部Ｚ１，Ｚ２を左右方向ＬＲの左方（人体の左腋側）に引張ろうとする引張力ＦＲが作用し、右側のバック布部５４及び土台布部５５には、図１７及び図１８に示すように、各カップ部Ｚ１，Ｚ２を左右方向ＬＲの右方（人体の右腋側）に引張ろうとする引張力ＦＲが作用する。
このとき、各樹脂ワイヤーＸ，Ｘは、引上力ＦＵ及び引張力ＦＲを受けて、各バストＢＵ，ＢＵのバージスラインＶ，Ｖに沿って、人体の体ＢＯ（人体の肌）に押付けられる。各樹脂ワイヤーＸ，Ｘにおいて、中央下底部１は、身体の立位姿勢において、各バストＢＵ，ＢＵの下部側の体ＢＯ（人体の肌）に押付けられ、身体中心側立部２は、身体の立位姿勢において、各バストＢＵ，ＢＵの身体中心側の体ＢＯ（人体の肌）に押付けられる。各樹脂ワイヤーＸ，Ｘにおいて、腋下側立部３は、身体の立位姿勢において、各バストＢＵ，ＢＵの腋下側の体ＢＯ（人体の肌）に押付けられる。
【０１０７】
ブラジャーＹ１を身体（女性）の体ＢＯ（各バストＢＵ，ＢＵ）に装着すると、身体の体ＢＯ（人体の肌）に当接する各樹脂ワイヤーＸ，Ｘは、各袋状テープＷ，Ｗを介在して人体の体温にて温められる。
人体の体温によって、各樹脂ワイヤーＸ，Ｗを第１のポリウレタン系形状記憶樹脂Ｐ１の第１ガラス転移温度Ｔｇ１まで温めると、各樹脂ワイヤーＸ，Ｘの中央下底部１は、第１のポリウレタン系形状記憶樹脂Ｐ１のガラス領域ＧＡ１の弾性率Ｅ１に比して低い弾性率又は小さい弾性率（第１ガラス転移領域ＧＭの弾性率）に変異される。
また、人体の体温によって、各樹脂ワイヤーＸ，Ｘを人体の体温未満の温度以上（温度：２０℃以上）まで温めると、各樹脂ワイヤーＸ，Ｘの中央下底部１は，第１のポリウレタン系形状記憶樹脂Ｐ１の人体の体温未満の温度における複素弾性率の貯蔵弾性率Ｅ１ｂに比して低い貯蔵弾性率Ｅ１ｂ又は小さい貯蔵弾性率Ｅ１ｂに変異される。
これにより、各カップ部Ｚ１，Ｚ２において、各樹脂ワイヤーＸ，Ｘの中央下底部１は、図１８及び図１９に示すように、形状記憶された形状から上下方向ＵＤ、左右方向ＬＲ及び前後方向ＦＲを含む多方向において、三次元的に変形して、人体の体ＢＯ（人体の肌、第６肋骨ＨＢ）に沿った形状に変形（変態／二次賦形）される。各樹脂ワイヤーＸ，Ｘにおいて、中央下底部１は、人体の体温によって、身体の体ＢＯ（人体の肌、第６肋骨ＨＢ）に馴染むように変形（二次賦形）される。
【０１０８】
各樹脂ワイヤーＸ，Ｘにおいて、中央下底部１（第１のポリウレタン系形状記憶樹脂Ｐ１）は、人体の体温によって、左右方向ＬＲ（人体の左腋側、人体の右腋側）にも広がるように変形（二次賦形）する。このとき、各樹脂ワイヤーＸ，Ｘにおいて、中央下底部１は、各肩掛け用ストラップ５２，５２に作用する引上力ＦＵと、各バック布部５３，５４及び土台布部５５に作用する引張力ＦＫとの均衡（力バラスン）によって、左右方向ＬＲの広がりが抑えられる。
【０１０９】
各樹脂ワイヤーＸ，Ｘ（中央下底部１、身体中心側立部２及び腋下側立部３）を温める温度は、人体の体温であって、第２のポリウレタン系形状記憶樹脂Ｐ２の第２ガラス転移温度Ｔｇ２未満、又は人体の体温を超える温度未満（温度：４５℃未満）に維持される。
各樹脂ワイヤーＸ，Ｘにおいて、身体中心側立部２、及び腋下側立部３は、人体の体温に温められても、第２のポリウレタン系形状記憶樹脂Ｐ２のガラス領域ＧＡ２の弾性率Ｅ２を有するので、各バストＢＵ，ＢＵの身体中心側及び腋下側の体ＢＯ（人体の肌、肋骨）に沿って変形（変態／二次賦形）することなく、形状記憶（一次賦形）された形状を維持（保持）する。
また、各樹脂ワイヤーＸ，Ｘにおいて、身体中心側立部２、及び腋下側立部３は、人体の体温に温められても、第２のポリウレタン系形状記憶樹脂Ｐ２の複素弾性率の貯蔵弾性率Ｅ２ｂを有するので、各バストＢＵ，ＢＵの身体中心側及び腋下側の体ＢＯ（人体の肌、肋骨）に沿って変形（変態／二次賦形）することなく、形状記憶（一次賦形）された形状を維持（保持）する。
これにより、各樹脂ワイヤーＸ，Ｘの身体中心側立部２、及び腋下側立部３は、図４、図１７乃至図１９に示すように、人体の身体中心側及び腋下側において、各カップ部Ｚ１，Ｚ２を保持（保形）して、各カップ部Ｚ１，Ｚ２との協働によって、各バストＢＵ，ＢＵが各カップ部Ｚ１，Ｚ２内から人体の各腋（左腋、右腋）へ流れるのを抑制（制限）する。
このとき、各樹脂ワイヤーＸ，Ｘにおいて、身体中心側立部２及び腋下側立部３は、第２ポリウレタン系形状記憶樹脂Ｐ２のガラス領域ＧＡ２の弾性率Ｅ２、又は人体の体温を超える温度以下（温度：４５℃以下）の複素弾性率の貯蔵弾性率Ｅ２ｂを有して、各カップＢＺ１，Ｚ２、及び各カップ部Ｚ１，Ｚ２内の各バストＢＵ，ＢＵを保持（保形）する。
【０１１０】
ブラジャーＹ１を身体（女性）の体ＢＯから取外し、各カップ部Ｚ１，Ｚ２の温度が人体の体温未満（第１のポリウレタン系形状記憶樹脂Ｐ１の第１ガラス転移温度Ｔｇ１未満、又は人体の体温未満の温度（温度：２０℃未満）になると、各樹脂ワイヤーＸ，Ｘの中央下底部１は、二次賦形された形状であって、身体の体ＢＯに沿った形状（身体の肌、第６肋骨等に馴染んだ形状）に保持（維持）される。
続いて、ブラジャーＹ１を、人体の体温を超える温度以上（第１ガラス転移温度Ｔｇ１、第２ガラス転移温度Ｔｇ２以上の温度、又は温度：４５℃以上）に温めると、各樹脂ワイヤーＸ，Ｘは、変形した形状（二次賦形）から形状記憶（一次賦形）された形状に形状回復される。
このとき、各樹脂ワイヤーＸ，Ｘにおいて、中央下底部１（第１のポリウレタン系形状記憶樹脂Ｐ１）は、図１に示すように、第１ガラス転移温度Ｔｇ１以上のガラス転移領域ＧＭ２の温度、又は温度：２０℃以上にて形状記憶（一次賦形）された形状に回復される。各樹脂ワイヤーＸ，Ｘにおいて、身体中心側立部２及び腋下側立部３は、図１に示すように、第２ガラス転移温度Ｔｇ２以上のガラス転移領域ＧＭ２の温度、又は温度：４５℃以上にて形状記憶（一次賦形）された形状に回復される。
【０１１１】
このように、第１実施形態のブラジャーＹ１（カップ部付き衣類）は、身体（女性）の体ＢＯ（各バストＢＵ，ＢＵ）に装着して、各カップ部Ｚ１，Ｚ２の各樹脂ワイヤーＸ，Ｘを人体の体温未満の温度以上（第１ガラス転移温度Ｔｇ１以上、又は温度：２０℃以上）に温めることで、各樹脂ワイヤーＸ，Ｘの中央下底部１を身体（女性）の体ＢＯ（身体の肌、第６肋骨等）に馴染む形状に変形できる。
また、ブラジャーＹ１（カップ部付き衣類）を身体（女性）の体ＢＯ（各バストＢＵ，ＢＵ）に装着しても、各樹脂ワイヤーＸ，Ｘは、第２のポリウレタン系形状記憶樹脂Ｐ２の第２ガラス転移温度Ｔｇ２、又は人体の体温を超える温度（温度：４５℃）まで温められない。
これにより、各樹脂ワイヤーＸ，Ｘにおいて、身体中心側立部２及び腋下側立部３は、形状記憶された形状から変形（二次賦形）されることなく、第２のポリウレタン系形形状記憶樹脂Ｐ２のガラス領域ＧＡ２の弾性率Ｅ２、又は人体の体温を超える温度未満の複素弾性の貯蔵弾性率Ｅ２ｂ（弾性成分）によって、各カップ部Ｚ１，Ｚ２の身体中心側及び腋下側を保持（保形）し、各カップ部Ｚ１，Ｚ２との協働によって、各バストＢＵ，ＢＵが人体の各腋側（左腋側又は右腋側）へ流れることを抑制する。
【０１１２】
＜第２実施形態＞
以下、第２実施形態のカップ部付き衣類について、図１乃至図７、図２２乃至図３５を参照して説明する。
なお、図２２乃至図３５において、図１乃至図２１（第１実施形態）と同一符号は、同一部材、同一構成であるので、その詳細な説明は省略する。
【０１１３】
図２２乃至図３５において、第２実施形態のカップ部付き衣類Ｙ２は、例えば、ブラジャーである（以下、「ブラジャーＹ２」という）。
【０１１４】
ブラジャーＹ２は、図８乃至図１６（第１実施形態）で説明したと同様に、衣類本体５１（ブラジャー本体５１）、左右一対のカップ部Ｚ１，Ｚ２、左右一対の肩掛け用ストラップ５２，５２（肩掛け紐）、複数（２本）の袋状テープＷ，Ｗ、及び複数（２本）の樹脂ワイヤーＸ，Ｘを備える（図２２乃至図３０参照）。
【０１１５】
ブラジャーＹ２において、衣類本体５１は、図８乃至図１６（第１実施形態）で説明したと同様に、ブラジャー本体であって、左右一対のバック布部５３，５４及び土台布部５５を有して構成される（図２２乃至図３０参照）。
【０１１６】
ブラジャーＹ２において、各カップ部Ｚ１，Ｚ２は、図８乃至図１６（第１実施形態）で説明したと同様に、表面布５７（表生地）、肌面布５８（裏生地）及びカップ芯材５９で構成される。
ブラジャーＹ２において、各カップ部Ｚ１，Ｚ２は、前後方向ＦＲの前方（前方向）に膨出（突出）する椀状に形成され、表面布５７の湾曲凸表面Ｚａ及び肌面布５８の湾曲凹肌面Ｚｂを有する（図２６及び図２８参照）。
【０１１７】
ブラジャーＹ２において、各袋状テープＷ，Ｗは、図８乃至図１６（第１実施形態）で説明したと同様に、前後方向ＦＲにおいて、各カップ部Ｚ１，Ｚ２の裏面（肌面布５８）に当接される。
各袋状テープＷ，Ｗは、図２６乃至図２９に示すように、ワイヤー収納空間ＷＸ（図１１参照）を形成することなく平担に形成されて、各カップ部Ｚ１，Ｚ２のカップ支持部６３の裏面（肌面布５８）に当接される。
ブラジャーＹ２において、各袋状テープＷ，Ｗは、図２７、図２９及び図３０に示すように、各縫製ラインＬＨ，ＬＨに沿って各カップ部Ｚ１，Ｚ２のカップ支持部６３に縫着（縫製）されて、各カップ部Ｚ１，Ｚ２のカップ支持部６３に取付けられる。
【０１１８】
ブラジャーＹ２において、各樹脂ワイヤーＸ，Ｘは、図２２乃至図３０に示すように、各袋状テープＷ，Ｗ内に挿入することなく、各カップ部Ｚ１，Ｚ２の下端湾曲縁６２に沿って各カップ部Ｚ１，Ｚ２内に埋設して（埋込んで）、各カップ部Ｚ１，Ｚ２に装着される。
各樹脂ワイヤーＸ，Ｘは、図２４乃至図３０に示すように、各カップ部Ｚ１，Ｚ２のカップ芯材５９に埋込まれて、各カップ部Ｚ１，Ｚ２に固定される。
各樹脂ワイヤーＸ，Ｘは、図２４乃至図２６に示すように、各カップ部Ｚ１，Ｚ２の折曲湾曲線ＬＸよりカップトップａ側（上端湾曲縁６０側）に配置される。
【０１１９】
各樹脂ワイヤーＸ，Ｘにおいて、中央下底部１は、図２４、図２５乃至図２７に示すように、カップ支持部６３の下部側部分６３Ａに並設されて、各カップ部Ｚ１，Ｚ２（カップ芯材５９）に配置される。
各樹脂ワイヤーＸ，Ｘにおいて、身体中心側立部２は、図２４、図２５、図２８及び図２９に示すように、カップ支持部６３の身体中心側部分６３Ｂに並設して、各カップ部Ｚ１，Ｚ２（カップ芯材５９）に配置される。
各樹脂ワイヤーＸ，Ｘにおいて、腋下側立部３は、図２４、図２５、図２８及び図３０に示すように、カップ支持部６３の腋下側部分６３Ｃに並設して、各カップ部Ｚ１，Ｚ２（カップ芯材５９）に配置される。
【０１２０】
各樹脂ワイヤーＸ，Ｘは、図２７（ｂ）、図２９（ｂ）及び図３０（ｂ）に示すように、各円孤中心線Ｌ１，Ｌ２（中央下底部１、身体中心側立部２）及び円孤直線中心線Ｌ３（腋下側立部３）と、各カップ部Ｚ１，Ｚ２の折曲湾曲線ＬＸの間に間隔δを隔てて配置される。間隔δは、例えば、δ＝７〜１０ｍｍにする。
各樹脂ワイヤーＸ，Ｘは、図２７（ｂ）、図２９（ｂ）及び図３０（ｂ）に示すように、前後方向ＦＲにおいて、各円孤中心線Ｌ１，Ｌ２（中央下底部１、身体中心側立部２）、円孤中心線Ｌ３（腋下側立部３）と、各カップ部Ｚ１，Ｚ２の湾曲凹肌面Ｚｂ（肌面布５８）との間に埋込み深さＨＡを有して、各カップ部Ｚ１，Ｚ２のカップ芯材５９内に埋込まれて、湾曲凸表面Ｚａ及び湾曲凹肌面Ｚｂに沿って配置される。埋込み深さＨＡは、例えば、カップ部の厚さ：９〜１０ｍｍに対して、ＨＡ＝４．５〜１０ｍｍとする。
これにより、各樹脂ワイヤーＸ，Ｘは、図２６乃至図３０に示すように、各カップ部Ｚ１，Ｚ２の湾曲凹肌面Ｚｂから突出することなく、カップ芯材５９、表面布５７及び肌面布５８にて覆われて、各カップ部Ｚ１，Ｚ２（カップ芯材５９内）に装着される。
【０１２１】
図３１乃至図３５において、ブラジャーＹ２（カップ部付き衣類）は、各肩掛け用ストラップ５２，５２を身体（女性）の両肩（各肩）に掛けて、前後方向ＦＲの前方（身体の前方）に配置される。
ブラジャーＹ２は、各カップ部Ｚ１，Ｚ２の湾曲凹肌面Ｚｂ（肌面布５８）を、身体（女性）の各バストＢＵ，ＢＵ（各乳房）に対峙して配置される。
ブラジャーＹ２は、各カップ部Ｚ１，Ｚ２の湾曲凹肌面Ｚｂから各バストＢＵ，ＢＵを各カップ部Ｚ１，Ｚ２内に挿入して、人体（女性）の体ＢＯ（各バストＢＵ）に配置される。
このとき、各カップ部Ｚ１，Ｚ２において、各樹脂ワイヤーＸ，Ｘは、図３２乃至図３５に示すように、身体に立位姿勢において、各バージスラインＶ，Ｖに沿った各バストＢＵ，ＢＵの周縁に当接して配置される。各樹脂ワイヤーＸ，Ｘは、図３４及び図３５に示すように、各カップ部Ｚ１，Ｚ２のカップ芯材５９及び肌面布５８を介在して、各バストＢＵ，ＢＵの周縁（各バストＢＵ，ＢＵの周輪縁）に当接する。
各樹脂ワイヤーＸ，Ｘにおいて、中央下底部１は、図３２、図３４及び図３５に示すように、身体の立位姿勢において、各バストＢＵ，ＢＵの下部側に配置して、各バストＢＵ，ＢＵの周縁の下部側に当接される。
各樹脂ワイヤーＸ，Ｘにおいて、身体中心側立部２は、図３２に示すように、身体の立位姿勢において、各バストＢＵ，ＢＵの身体中心側に配置して、各バストＢＵ，ＢＵの周縁の身体中心側に当接される。
各樹脂ワイヤーＸ，Ｘにおいて、腋下側立部３は、図３２及び図３３に示すように、身体の立位姿勢において、各バストＢＵ，ＢＵの腋下側に配置して、各バストＢＵ，ＢＵの周縁の腋下側に当接される。
【０１２２】
各樹脂ワイヤーＸ，Ｘを各バストＢＵ，ＢＵの周縁に沿って配置し、及び各カップ部Ｚ１，Ｚ２内に各バストＢＵ，ＢＵを挿入すると、ブラジャー本体５１の各バック布部５３，５４及び土台布部５５を前後方向ＦＲの後方（人体の背側）に引張り、及び上下方向ＵＤの下方（人体の腹側）に引下げて、各カップ部Ｚ１，Ｚ２内に各バストＢＵ，ＢＵを収納する。
ブラジャー本体５１の各バック布部５３，５４は、引張り及び引下げつつ身体（女性）の背に回されて、フック及びフック穴（図示しない）によって、相互に連結される。
これにより、ブラジャーＹ２（カップ部付き衣類）は、身体（女性）の体ＢＯ（各バストＢＵ，ＢＵ）に装着される。
【０１２３】
ブラジャーＹ２（カップ部付き衣類）を、身体（女性）の体ＢＯ（各バストＢＵ，ＢＵ）に装着すると、必要に応じて、人体の各腋下側のバストＢＵ，ＢＵを身体中心側に引寄せて、各カップ部Ｚ１，Ｚ２内に収納する（各バストＢＵ，ＢＵの腋下側を各カップ部Ｚ１，Ｚ２に収納して、バストアップする）。
このように、ブラジャーＹ２（カップ部付き衣類）を身体（女性）の体ＢＯ（各バストＢＵ，ＢＵ）に装着すると、各肩掛け用ストラップ５２，５２には、図３１乃至図３３に示すように、引上力ＦＵが作用し、各バック布部５３，５４及び土台布部５５には、図３１乃至図３３に示すように、引張力ＦＲ，ＦＲが作用する。
このとき、各樹脂ワイヤーＸ，Ｘは、引上力ＦＵ及び引張力ＦＲを受けて、各バストＢＵ，ＢＵの周縁に押付けられる。
各樹脂ワイヤーＸ，Ｘにおいて、中央下底部１は、身体に立位姿勢において、各バストＢＵ，ＢＵの周縁の下部側に押付けられ、身体中心側立部２は、身体の立位姿勢において、各バストＢＵ，ＢＵの周縁の身体中心側に押付けられる。各樹脂ワイヤーＸ，Ｘにおいて、腋下側立部３は、身体の立位姿勢において、各バストＢＵ，ＢＵの周縁の腋下側に押付けられる。
【０１２４】
ブラジャーＹ２を身体（女性）の体ＢＯ（各バストＢＵ，ＢＵ）に装着すると、各バストＢＵ，ＢＵの周縁に当接する各樹脂ワイヤーＸ，Ｘは、カップ芯材５９及び肌面布５８を介在して人体の体温にて温められる。
人体の体温によって、各樹脂ワイヤーＸ，Ｘを第１のポリウレタン系形状記憶樹脂Ｐ１の第１ガラス転移温度Ｔｇ１まで温めると、各樹脂ワイヤーＸ，Ｘの中央下底部１は、第１のポリウレタン系形状記憶樹脂Ｐ１のガラス領域ＧＡ１の弾性率Ｅ１に比して小さい弾性率又は低い弾性率（第１ガラス転移温度領域ＧＭ１の弾性率）に変異される。
また、人体の体温によって、各樹脂ワイヤーＸ，Ｘを人体体温未満の温度以上（温度：２０℃以上）まで温めると、各樹脂ワイヤーＸ，Ｘの中央下底部１は、第１のポリウレタン系形状記憶樹脂Ｐ１の人体の体温未満の温度における複素弾性率の貯蔵弾性率Ｅ１ｂに比して低い貯蔵弾性率Ｅ１ｂ又は小さい貯蔵弾性率Ｅ１ｂに変異される。
これにより、各カップ部Ｚ１，Ｚ２において、各樹脂ワイヤーＸ，Ｘの中央下底部１は、図３４及び図３５に示すように、形状記憶された形状から上下方向ＵＤ、左右方向ＬＲ及び前後方向ＦＲを含む多方向において、三次元的に変形して、各バストＢＵ，ＢＵの周縁の下部側に沿った形状に変形（二次賦形）される。各樹脂ワイヤーＸ，Ｘにおいて、中央下底部１は、人体の体温によって、各バストＢＵ，ＢＵの周縁の下部側に馴染むように変形（二次賦形）される。
【０１２５】
各樹脂ワイヤーＸ，Ｘにおいて、中央下底部１（第１のポリウレタン系形状記憶樹脂Ｐ１）は、人体の体温（第１ガラス転移温度）によって、左右方向ＬＲ（人体の左腋側、人体の右腋側）にも広がるように変形（二次賦形）する。このとき、各樹脂ワイヤーＸ，Ｘにおいて、中央下底部１は、各肩掛け用ストラップ５２，５２に作用する引上力ＦＵと、各バック布部５３，５４及び土台布部５５に作用する引張力ＦＫとの均衡（力バランス）によって、左右方向ＬＲの広がりが抑えられる。
【０１２６】
各樹脂ワイヤーＸ，Ｘ（中央下底部１、身体中心側立部２及び腋下側立部３）を温める温度は、人体の体温であって、第２のポリウレタン系形状記憶樹脂Ｐ２の第２ガラス転移温度Ｔｇ２未満、又は人体の体温を超える温度未満（温度：４５℃未満）に維持される。
各樹脂ワイヤーＸ，Ｘにおいて、身体中心側立部２、及び腋下側立部３は、人体の体温に温められても、第２のポリウレタン系形状記憶樹脂Ｐ２のガラス領域ＧＡ２の弾性率Ｅ２を有することから、各バストＢＵ，ＢＵの周縁の身体中心側、及び各バストＢＵ，ＢＵの周縁の腋下側に沿って変形（変態／二次賦形）することなく、形状記憶（一次賦形）された形状を保持（維持）する。
また、各樹脂ワイヤーＸ，Ｘにおいて、身体中心側立部２、及び腋下側立部３は、人体の体温に温められても、第２のポリウレタン系形状記憶樹脂Ｐ２の複素弾性率の貯蔵弾性率Ｅ２ｂを有するので、各バストＢＵ，ＢＵの身体中心側及び腋下側の体ＢＯ（人体の肌、肋骨）に沿って変形（変態／二次賦形）することなく、形状記憶（一次賦形）された形状を維持（保持）する。
これにより、各樹脂ワイヤーＸ，Ｘの身体中心側立部２、及び腋下側立部３は、図４、図３１乃至図３３に示すように、各バストＢＵ，ＢＵの周縁の身体中心側、及び各バストＢＵ，ＢＵの周縁の腋下側を保持（保形）して、各カップ部Ｚ１，Ｚ２との協働によって、各バストＢＵ，ＢＵが各カップ部Ｚ１，Ｚ２内から人体の各腋（左腋、右腋）へ流れるのを抑制（制限）する。
このとき、各樹脂ワイヤーＸ，Ｘにおいて、身体中心側立部２及び腋下側立部３は、第２のポリウレタン系形状記憶樹脂Ｐ２のガラス領域ＧＡ２の弾性率Ｅ２、又は人体の体温を超える温度未満（温度：４５℃未満）の複素弾性率の貯蔵弾性率Ｅ２ｂを有して、各カップ部Ｚ１，Ｚ２内の各バストＢＵ，ＢＵを保持（保形）する。
【０１２７】
ブラジャーＹ２を身体（女性）の体ＢＯ（各バストＢＵ，ＢＵ）から取外し、各カップ部Ｚ１，Ｚ２の温度が人体の体温未満（第１のポリウレタン系形状記憶樹脂Ｐ１の第１ガラス転移温度Ｔｇ１未満）、又は人体の体温未満の温度（温度：２０℃未満）になると、各樹脂ワイヤーＸ，Ｘの中央下底部１は、二次賦形された形状であって、身体の体ＢＯに沿った形状（身体の肌、第６肋骨等に馴染んだ形用）に保持（維持）される。
続いて、ブラジャーＹ２を、人体の体温を超える温度以上（第１ガラス転移温度Ｔｇ１、第２ガラス転移温度Ｔｇ２以上の温度、又は温度：４５℃以上）に温めると、各樹脂ワイヤーＸ，Ｘは、変形した形状（二次賦形）から形状記憶（一次賦形）された形状に形状回復される。
このとき、各樹脂ワイヤーＸ，Ｘにおいて、中央下底部１（第１のポリウレタン系形状記憶樹脂Ｐ１）は、図１に示すように、第１ガラス転移温度Ｔｇ１以上のガラス転移領域ＧＭ１の温度、又は温度：２０℃以上にて形状記憶（一次賦形）された形状に回復される。各樹脂ワイヤーＸ，Ｘにおいて、身体中心側立部２及び腋下側立部３は、図１に示すように、第２ガラス転移温度Ｔｇ２以上のガラス転移領域ＧＭ２の温度、又は温度：４５℃以上にて形状記憶（一次賦形）された形状に回復される。
【０１２８】
このように、第２実施形態のブラジャーＹ２（カップ部付き衣類）は、身体（女性）の体ＢＯ（各バストＢＵ，ＢＵ）に装着して、各カップ部Ｚ１，Ｚ２の各樹脂ワイヤーＸ，Ｘを人体の体温未満の温度以上（第１ガラス転移温度Ｔｇ１、又は温度：２０℃以上）に温めることで、各樹脂ワイヤーＸ，Ｘの中央下底部１を身体（女性）の体ＢＯ（身体の肌、第６肋骨ＨＢ等）に馴染む形状に変形できる。
また、ブラジャーＹ２（カップ部付き衣類）を身体（女性）の体ＢＯ（各バストＢＵ，ＢＵ）に装着しても、各樹脂ワイヤーＸ，Ｘは、第２のポリウレタン系形状記憶樹脂Ｐ２の第２ガラス転移温度Ｔｇ２、又は人体の体温を超える温度（温度：４５℃）まで温められない。
これにより、各樹脂ワイヤーＸ，Ｘにおいて、身体中心側立部２及び腋下側立部３は、形状記憶（一次賦形）された形状から変形（二次賦形）されることなく、第２のポリウレタン系形状記憶樹脂Ｐ２のガラス領域ＧＡ２の弾性率Ｅ２、又は人体の体温を超える温度未満の複素弾性率の貯蔵弾性率Ｅ２ｂ（弾性成分）によって、各カップ部Ｚ１，Ｚ２の身体中心側及び腋下側を保持（保形）し、各カップ部Ｚ１，Ｚ２との協働によって、各バストＢＵ，ＢＵが人体の各腋側（左腋側又は右腋側）へ流れることを抑制する。
【０１２９】
本発明の樹脂ワイヤーＸは、ブラジャーＹ１，Ｙ２の各カップ部Ｚ１，Ｚ２に装着する場合について説明したが、これに限定されない。
カップ部付き衣類は、ブラジャーの他に、カップ部を有する、ボディースーツ、ビスチエ、キャミソール、スリップ等であっても良い。
【０１３０】
本発明の樹脂ワイヤーＸは、断面矩形（断面長方形）について説明したが、これに限定されるものでなく、断面半円形、断面円形、断面楕円形、断面正方形等にしても良い。
【０１３１】
本発明の樹脂ワイヤーＸにおいて、ワイヤー幅Ｈ、及びワイヤー厚さＴは、「各カップ体型」に同一（共通）としているが、「日本工業規格：ＪＩＳ  Ｌ  ４００６（１９８９）」の「カップ体型区分表示」に規定される「各カップ体型」のＡＡカップ体型、Ａカップ体型〜Ｉカップ体型に応じて、同一又は異なる寸法を選択できる。
【実施例】
【０１３２】
次に、各種ブラジャーを身体（女性）の体（バスト）に装着した試験１、及び試験２（以下、「装着試験１、試着試験２」という）について説明する。
【０１３３】
１：装着試験１
装着試験１について、図３６乃至図３９、図４４、「表１」及び「表２」を参照して説明する。
【０１３４】
＜１＞装着試験１の各種ブラジャー
装着試験１において、各種ブラジャーＹＡ〜ＹＤは、図８乃至図１６（第１実施形態）で説明したと同様に、ブラジャー本体（各バック布部及び土台布部）、左右一対の肩掛け用ストラップ、及び左右一対のカップ部を備え、同一構成、同一部材とした。
各種ブラジャーＹＡ〜ＹＤにおいて、各カップ部は、軟質発泡ウレタン樹脂（ウレタンフォーム）にて形成した。
各種ブラジャーＹＡ〜ＹＤは、日本工業規格：ＪＩＳ  Ｌ  ４００６（１９８９）の「カップ体型区分表示」に規定される「Ｃカップ体型」の「Ｃ７５（アンダーバスト：７０ｃｍ、トップバスト：９５ｃｍ）」である。
【０１３５】
（１）ブラジャーＹＡ（以下、「実施例１」という）
実施例１は、図８乃至図１６（第１実施形態）で説明したと同様に、各樹脂ワイヤーを各カップ部の袋状テープ内（ワイヤーループ内）に挿入して、各カップ部に装着した（図３６参照）。
実施例１は、図１乃至図５で説明したと同様に、第１及び第２のポリウレタン系形状記憶樹脂にて、樹脂ワイヤーの中央下底部、身体中心側立部及び腋下側立部を一体に形成した。
実施例１において、樹脂ワイヤーは、図５に示す「弾性率の温度依存性」及び図６に示す「動的粘弾性の温度依存性」の特性（関係）を有する第１のポリウレタン系形状記憶樹脂と、図５に示す「弾性率の温度依存性」及び図７に示す「動的粘弾性の温度依存性」の特性（関係）を有する第２のポリウレタン系形状記憶樹脂にて、中央下底部、身体中心側立部及び腋下側立部を一体に形成（架橋結合）した。
実施例１において、樹脂ワイヤーの円孤半径Ｒ＝６６ｍｍ、中央下底部（円孤中心線Ｌ１）の円孤長ｌ１＝７６ｍｍ、身体中心側立部（円孤中心線Ｌ２）の円孤長ｌ２＝３９ｍｍ、腋下側立部（円孤直線中心線Ｌ３）の円孤直線長ｌ３＝６５ｍｍとして、樹脂ワイヤーを第１及び第２のポリウレタン系形状記憶樹脂Ｐ１，Ｐ２にて形成した（樹脂ワイヤーの全中心長は、Ｌ１＋Ｌ２＋Ｌ３＝１８０ｍｍとなる）。
実施例１において、樹脂ワイヤーは、ワイヤー幅Ｈ＝６ｍｍ及びワイヤー厚さＴ＝２．５ｍｍの断面矩形（断面長方形）とした。
実施例１のブラジャーＹＡは、図３６に示すように、平面上に載置した際、上下方向ＵＤの上方に突出する弓なり状となり、各バック布部の各端及び土台布部の中心との間の距離（上下方向ＵＤの距離又は間隔）ＨＣ＝１２．０ｍｍとなった。
【０１３６】
（２）ブラジャーＹＢ（以下、「実施例２」という）
実施例２は、図２２乃至図３０（第２実施形態）で説明したと同様に、各樹脂ワイヤーを各カップ部のカップ芯材内に埋込んで、各カップ部に装着した（図３７参照）。
実施例２は、図１及び図５で説明したと同様に、第１及び第２のポリウレタン系形状記憶樹脂にて、樹脂ワイヤーの中央下底部、身体中心側立部及び腋下側立部を一体に形成した。
実施例２において、図５に示す「弾性率の温度依存性」及び図６仁示す「動的粘弾性の温度依存性」の特性（関係）を有する第１のポリウレタン系形状記憶樹脂と、図５に示す「弾性率の温度依存性」及び図７に示す「動的粘弾性の温度依存性」の特性（関係）を有する第２のポリウレタン系形状記憶樹脂にて、中央下底部、身体中心側立部及び腋下側立部を一体に形成（架橋結合）した。
実施例２において、樹脂ワイヤーの円孤半径Ｒ、中央下底部（円孤中心線Ｌ１）の円孤長ｌ１、身体中心側立部（円孤中心線Ｌ２）の円孤長ｌ２、及び腋下側立部（円孤直線中心線Ｌ３）の円孤直線長ｌ３は、実施例１と同一寸法とした。
実施例２において、樹脂ワイヤーは、ワイヤー幅Ｈ＝６ｍｍ、ワイヤー厚さＴ１＝３ｍｍの断面半円形（断面半径：３ｍｍの半円形）とした。
実施例２において、樹脂ワイヤーは、各カップ部の厚み：９〜１０ｍｍに対して、図２７（ｂ）、図２９（ｂ）及び図３０（ｂ）に示す間隔δ＝７〜１０ｍｍ、及び埋込み深さＨＡ＝４．５〜５ｍｍに位置して、各カップ部のカップ芯材内に埋設した。
実施例３のブラジャーＹＣは、図３７に示すように、平面上に載置した際、上下方向ＵＤの上方に突出する弓なり状となり、各バック布部及び土台布部の中心の間の距離（上下方向ＵＤの距離又は間隔）ＨＤ＝１０ｃｍとなった。
【０１３７】
（３）ブラジャーＹＣ（以下、「比較例１」という）
比較例１は、図３８に示すように、各カップ部（カップ支持部）に袋状テープ（ワイヤーループ）を縫着（縫製）して、各カップ部の袋状テープ内（ワイヤーループ内）に金属ワイヤー（スチールワイヤー）を挿入して、各カップ部に装着した。
比較例１は、１種類の金属（スチール）にて、金属ワイヤーを形成した。金属ワイヤーは、実施例２と同一の形状であって、金属ワイヤーの円孤半Ｒ＝６６ｍｍ、及び金属ワイヤーの全長Ｌは、Ｌ＝１８０ｍｍとした。
比較例１において、金属ワイヤーは、ワイヤー幅Ｈ＝６ｍｍ及びワイヤー厚さＴ＝２．５ｍｍの断面半円形（断面半径：３ｍｍの半円形）とした。
比較例１のブラジャーＹＤは、図３８に示すように、平面上に載置した際、弓なり状に変形しなかった。
【０１３８】
（４）ブラジャーＹＤ（以下、「比較例２」という）
比較例２は、図３９に示すように、各カップ部（カップ支持部）に袋状テープを縫着（縫製）した（樹脂ワイヤー及び金属ワイヤーを各カップ部に装着しない）。
比較例２のブラジャーＹ２は、図３９に示すように、平面上に載置した際、上下方向ＵＤの上方に突出する弓なり状となり、各バック布部の各端及び土台布部の中心の間の距離（上下方向ＵＤの距離又は間隔）ＨＥ＝１２．０ｃｍとなった。
【０１３９】
＜２＞各種ブラジャーＹＡ〜ＹＤの試着人数
試着人数は、女性２名（以下、「女性Ａ，女性Ｂ」という）である。
２名の女性Ａ，Ｂは、日常において、日本工業規格：ＪＩＳ  Ｌ  ４００６（１９８９）の「カップ体型表示区分」に規定される「Ｃカップ体型」の「Ｃ７５（アンダーバスト：７０ｃｍ、トップ：９５ｃｍ）」のブラジャーを使用する者である。
女性Ａの年代は、５０代、女性Ｂの年代は、２０代後半である。
【０１４０】
＜３＞各種ブラジャーＹＡ〜ＹＤの試着方法
（１）実施例１のブラジャーＹＡは、図１７乃至図２１（第１実施形態）で説明したと同様に、各女性Ａ，Ｂの各バストを各カップ部に収納して、各樹脂ワイヤーの中央下底部の中心をバストの下部に中心に位置して、中央下底部をバストの下部側に沿って配置し、身体中心側立部をバストの身体中心側に沿って配置し、及び腋下側立部をバストの腋下側に沿って配置する。
実施例１において、各カップ部の樹脂ワイヤーを各女性Ａ，Ｂの体（各女性Ａ，Ｂの肌）に押付けて、ブラジャーＹＡを各女性Ａ，Ｂに装着した。
【０１４１】
（２）実施例２のブラジャーＹＢは、図３１乃至図３５（第２実施形態）で説明したと同様に、各女性Ａ，Ｂのバストを各カップ部に収納して、各樹脂ワイヤーの中央下底部をバストの周縁の下部に当接し、身体中心側立部をバストの周縁の身体中心側に当接し、及び腋下側立部をバストの周縁の腋下側に当接する。
実施例２において、各カップ部の樹脂ワイヤーを各女性Ａ，Ｂのバストの周縁に押付けて、ブラジャーＹＢを各女性Ａ，Ｂに装着した。
【０１４２】
（３）比較例１のブラジャーＹＣは、各女性Ａ，Ｂのバストを各カップ部内に収納（挿入）して、各金属ワイヤーをバストの下部側、身体中心側及び腋下側に沿って配置する。
比較例１において、各カップ部の金属ワイヤーを各女性Ａ，Ｂの体（各女性Ａ，Ｂの肌）に押付けて、ブラジャーＹＣを各女性Ａ，Ｂに装着した。
【０１４３】
（４）比較例２のブラジャーＹＤは、各女性Ａ，Ｂのバストを各カップ部に収納（挿入）して、各袋状テープをバストの下部側、身体中心側及び腋下側に沿って配置する。
比較例２において、各カップ部の袋状テープを各女性Ａ，Ｂの体（各女性Ａ，Ｂの肌）に押付けて、ブラジャーＹＤを各女性Ａ，Ｂに装着した。
【０１４４】
＜４＞実施例１のブラジャーＹＡ、実施例２のブラジャーＹＢ、及び比較例１，２のブラジャーＹＣ，ＹＤの装着時の各種寸法を、「表１」に示す。
「表１」の各種寸法は、図４４に示すように、アンダーバスト、バスト（トップバスト）、乳下がり、乳間、フロントストラップ間（ＦＳＴ間）、及びバックストラップ間（ＢＳＴ間）である。
なお、乳下りとは、人体の肩及びトップバスト間の距離、乳間とは、各バストのバストトップ間の距離である。また、フロントストラップ間とは、人体のバスト側（人体の前側）において、各肩掛け用ストラップ間の距離、バックストラップ間とは、人体の背中側において、各肩掛け用ストラップ間の距離である。
【０１４５】
【表１】
2020200556.tif 000003
【０１４６】
＜５＞装着試験１の評価
実施例１，２のブラジャーＹＡ，ＹＢ、及び各比較例１，２のブラジャーＹＣ，ＹＤを装着した、各女性Ａ，Ｂに対して装着評価を行った。
装着評価は、［表２］に示すように、アンダーバスト、カップ部、及びカップ部くり（バストのバージスラインに相当する部分）において、装着感（着け心地）について評価した。評価の結果を「表２」に示す。
［表２］に示す評価は、「○：快適」、「△：特に快適でもない（普通）」、「×：着け心地が悪い」として表している。
【０１４７】
【表２】
2020200556.tif 000004
【０１４８】
実施例１は、本発明の樹脂ワイヤーを各カップ部の袋状テープ（ワイヤーループ）内に挿入して、各カップ部（カップ支持部）に装着したブラジャーである。
「表２」に示すように、女性Ａの装着評価は、「アンダーバスト：○（比較例１より楽であった）」、「カップ部：○」及び「カップくり部：△」であった。女性Ｂの装着評価は、「アンダーバスト：○」、「カップ部：○」及び「カップくり部：○」であった。
各女性Ａ，Ｂにおいて、実施例１のブラジャーＹＡは、カップ部が広がって、バストの腋下側がカップ部から流れることは見られなかった。
女性Ａ，Ｂにおいて、実施例１のブラジャーＹＡは、比較例１のブラジャーＹＣ（金属ワイヤー）と比較して、カップ部くりの厚みを感じるものの、装着感が楽であることを得た。
【０１４９】
実施例２は、本発明の樹脂ワイヤーを各カップ部のカップ芯材内に埋設したブラジャーＹＢである。
「表２」に示すように、女性Ａの装着評価は、「アンダーバスト：○（比較例１に比べて楽であった）」、「カップ部：○」及び「カップくり部：△」であった。女性Ｂの装着評価は、「アンダーバスト：○」、「カップ部：○」及び「カップくり部：○」であった。
女性Ａにおいて、実施例２のブラジャーＹＢは、装着感が楽で痛くないがカップ部の腋（脇）が広がることを得た。このことは、樹脂ワイヤーをカップ部内（カップ芯材内）に埋設する位置に起因するものであって、樹脂ワイヤーをカップ部内に埋設する位置を調整することで、腋の広がりを低減できると考えられる。
女性Ｂにおいて、実施例２のブラジャーＹＢは、バック布部が腋（脇）に当たるところが少し痛かったが、バック布部の中心を下げて装着すると問題ないことを得た。
【０１５０】
比較例１は、金属ワイヤーを各カップ部の袋状テープ内（ワイヤーループ内）に挿入して、各カップ部（カップ支持部）に装着したブラジャーＹＣである。
「表２」に示すように、女性Ａの装着評価は、「アンダーバスト：△」、「カップ部：△（少し硬く感じた）」及び「カップくり部：△」であった。女性Ｂの装着評価は、「アンダーバスト：○」、「カップ部：○」及び「カップくり部：△」であった。
女性Ａにおいて、比較例１のブラジャーＹＣは、カップ部が少し硬い気がすることを得た。女性Ｂにおいて、比較例１のブラジャーＹＣは、腋（脇）に締付け感がブラジャーＹＣを外した後も残っていたことを得た。
【０１５１】
比較例２は、本発明の樹脂ワイヤーや金属ワイヤーを各カップ部に装着しないブラジャーＹＤである。
「表２」に示すように、女性Ａの装着評価は、「アンダーバスト：△（比較例１と同じ着圧を感じた）」、「カップ部：△」及び「カップくり部：×（若干痛い）」であった。女性Ｂの装着評価は、「アンダーバスト：○」、「カップ部：○」及び「カップくり部：△」であった。
女性Ａにおいて、比較例２のブラジャーＹＤは、カップくり部（バストのバージスライン）が広がって、バストの腋下側がカップ部から流れた。女性Ｂにおいて、比較例２のブラジャーＹＤは、比較例１のブラジャーＹＣ（金属ワイヤー）より楽であるが、カップくり部に厚みを感じることを得た。
【０１５２】
実施例１及び実施例２のブラジャーＹＡ，ＹＢ（樹脂ワイヤー）は、比較例２のブラジャーＹＤ（ワイヤー無し）より、快適な装着感を得ることができる。
【０１５３】
実施例１のブラジャーＹＡ（樹脂ワイヤー）は、比較例１のブラジャーＹＣ（金属ワイヤー）と同等、又は優れた装着感を得ることができる。
このことは、実施例１のブラジャーＹＡでは、第１及び第２のポリウレタン系形状記憶樹脂にて樹脂ワイヤーを形成しており、各女性Ａ，Ｂに装着すると、樹脂ワイヤーの中央下底部は、各女性Ａ，Ｂの体温によって、人体の体（人体の肌、肋骨等）に馴染むように変形することに起因する。
また、実施例１のブラジャーＹＡでは、バストの腋下側がカップ部内がら各女性Ａ，Ｂの腋側に流れることなく、比較例１のブラジャーＹＣ（金属ワイヤー）と同等に、バストの身体中心側及び腋下側を保持（保形）できる。
このことは、実施例１のブラジャーＹＡ（樹脂ワイヤー）では、樹脂ワイヤーを各女性Ａ，Ｂの体温に温めても、樹脂ワイヤーの身体中心側立部及び腋下側立部は、各女性Ａ，Ｂの体温によって変形（二次賦形）されず、形状記憶（一次賦形）された形状（バストほ身体中心側に沿った形状、バストの腋下側に沿った形状）を保持して、各女性Ａ，Ｂの各腋側への各カップ部の広がりを抑制したことに起因する。実施例１のブラジャーＹＡでは、樹脂ワイヤーの身体中心側立部及び腋下側立部と各カップ部との協働によって、特に、バストの腋下側がカップ部から各女性Ａ，Ｂの腋側に流れることを阻止するものである。
【０１５４】
実施例２のブラジャーＹＢ（カップ部に埋設した樹脂ワイヤー）は、比較例１のブラジャーＹＣ（金属ワイヤー）と同等な装着感を得ることができる。
このことは、実施例２のブラジャーＹＢでは、第１及び第２のポリウレタン系形状記憶樹脂にて樹脂ワイヤーを形成しており、各女性Ａ，Ｂに装着すると、樹脂ワイヤーの中央下底部は、各女性Ａ，Ｂの体温によって、バストの周縁の下部に馴染むように変形することに起因する。
また、実施例２のブラジャーＹＢでは、バストの腋下側がカップ部内から各女性Ａ，Ｂの腋側に流れることなく、バストの身体中心側及び腋下側を保持（保形）できる。
このことは、実施例２のブラジャーＹＢ（カップ部に埋設した樹脂ワイヤー）では、樹脂ワイヤーを各女性Ａ，Ｂの体温に温めても、樹脂ワイヤーの身体中心側立部及び腋下側立部は、各女性Ａ，Ｂの体温によって変形（二次賦形）されず、形状記憶（一次賦形）された形状（バストの身体中心側に沿った形状、バストの腋下側に沿った形状）を保持して、バストの身体中心側及びバストの腋下側を保持（保形）したことに起因する。
【０１５５】
２：装着試験２
装着試験２について、図４０乃至図４４、「表３」及び「表４」を参照して説明する。
【０１５６】
＜１＞試着試験２の各種ブラジャー
装着試験２において、各種ブラジャーＹＥ〜ＹＨは、図８乃至図１６（第１実施形態）で説明したと同様に、ブラジャー本体（各バック布部及び土台布部）、左右一対の肩掛け用ストラップ、及び左右一対のカップ部を備え、同一構成、同一部材とした。
各種ブラジャーＹＥ〜ＹＨは、日本工業規格：ＪＩＳ  Ｌ  ４００６（１９８９）の「カップ体型区分表示」に規定される「Ｃカップ体型」の「Ｃ７５（アンダーバスト：７０ｃｍ、トップバスト：９５ｃｍ）」である。
【０１５７】
（１）ブラジャーＹＥ（以下、「実施例３」という）
実施例３は、樹脂ワイヤーのワイヤー幅Ｈ及びワイヤー厚さＴを除いて実施例１（ブラジャーＹＡ）と同一の構成（同一構造）であって、樹脂ワイヤーを各カップ部の袋状テープ内（ワイヤーループ内）に挿入して、各カップ部に装着した（図４０参照）。
実施例３において、樹脂ワイヤーは、ワイヤー幅Ｈ＝１０ｍｍ及びワイヤー厚さＴ＝２．０ｍｍの断面矩形（断面長方形）とした。
実施例３のブラジャーＹＥは、図４０に示すように、平面上に載置した際、上下方向ＵＤの上方に突出する弓なり状となし、各バック布部の各端及び土台布部の中心との間の距離（上下方向ＵＤの距離又は間隔）ＨＦ＝１０．５ｃｍとなった。
【０１５８】
（２）ブラジャーＹＦ（以下、「実施例４」という）
実施例４は、樹脂ワイヤーのワイヤー幅Ｈ及びワイヤー厚さＴを除いて実施例２（ブラジャーＹＢ）と同一構成（同一構造）であって、樹脂ワイヤーを各カップ部のカップ芯材内に埋設した（図４１参照）。
実施例４において、樹脂ワイヤーは、ワイヤー幅Ｈ＝１０ｍｍ及びワイヤー厚さＴ＝２．０ｍｍの断面矩形（断面長方形）とした。
実施例４のブラジャーＹＦは、図４１に示すように、平面上に載置した際、上下方向ＵＤの上方に突出する弓なり状となし、各バック布部の各端及び土台布部の中心との間の距離（上下方向ＵＤの距離又は間隔）ＨＧ＝１０．０ｃｍとなった。
【０１５９】
（３）ブラジャーＹＧ（以下、「比較例３」という）
比較例３は、図４２に示すように、金属ワイヤーのワイヤー幅Ｈ及びワイヤー厚さを除いて比較例１と同一構成（同一構造）であって、金属ワイヤー（スチールワイヤー）を各カップ部の袋状テープ内（ワイヤーループ内）に挿入して、各カップ部に装着した。
比較例３において、金属ワイヤーは、ワイヤー幅Ｈ＝２ｍｍ及びワイヤー厚さＴ＝１ｍｍとした。
比較例３のブラジャーＹＧは、図４２に示すように、平面上に載置した際、弓なり状に変形しなかった。
【０１６０】
（４）ブラジャーＹＨ（以下、「比較例４」という）
比較例４は、図４３に示すように、比較例２と同一構成（同一構造）であって、各カップ部に袋状テープを縫着した（樹脂ワイヤー及び金属ワイヤーを各カップ部の装着しない）。
比較例４のブラジャーＹＨは、図４３に示すように、面上に載置した際、上下方向ＵＤの上方に突出する弓なり状となし、各バック布部の各端及び土台布部の中心との間の距離（上下方向ＵＤの距離又は間隔）ＨＨ＝１２．０ｃｍとなった。
【０１６１】
＜２＞各種ブラジャーＹＥ〜ＹＨの試着人数
試着人数は、女性２名（以下、「女性Ａ、女性Ｃ」という）である。
２名の女性Ａ，Ｃは、日常において、日本工業規格：ＪＩＳ  Ｌ  ４００６（１９８９）の「カップ体型表示区分」に規定される「Ｃカップ体型」の「Ｃ７５（アンダーバスト：７０ｃｍ、トップ：９５ｃｍ）」のブラジャーを使用する者である。
女性Ａの年代は、５０代、女性Ｂの年代は、４０代である。
【０１６２】
＜３＞各種ブラジャーＹＥ〜ＹＨの試着方法
（１）実施例３のブラジャーＹＥは、実施例１と同様であって、各カップ部の樹脂ワイヤーを各女性Ａ，Ｃの体（各女性Ａ，Ｃの肌）に押付けて各女性Ａ，Ｃに装着した。
【０１６３】
（２）実施例４ｎブラジャーＹＦは、実施例２と同様であって、各カップ部の樹脂ワイヤーを各女性Ａ，Ｂのバストの周縁に押付けて各女性Ａ，Ｃに装着した。
【０１６４】
（３）比較例３のブラジャーＹＧは、比較例１と同様であって、各カップ部の金属ワイヤーを各女性Ａ，Ｃの体（各女性Ａ，Ｂの肌）に押付けて各女性Ａ，Ｃに装着した。
【０１６５】
比較例４のブラジャーＹＨは、比較例２と同様であって、各カップ部の袋状テープを各女性Ａ，Ｃの体（各女性Ａ，Ｃの肌）に押付けて各女性Ａ，Ｃに装着した。
【０１６６】
＜４＞実施例２のブラジャーＹＥ、実施例３のブラジャーＹＦ、及び各比較例３，４のブラジャーＹＧ，ＹＨの装着時の各種寸法を、「表３」に示す。
【０１６７】
【表３】
2020200556.tif 000005
【０１６８】
＜５＞装着試験２の評価
実施例３，４のブラジャーＹＥ，ＹＦ、及び各比較例３，４のブラジャーＹＧ，ＹＨを装着した、各女性Ａ，Ｃに対して装着評価を行った。
装着試験２の評価は、装着試験１の評価と同様であって、評価の結果を「表４」に示す。
「表４」に示す評価は、「○：快適」、「△：特に快適でもない（普通）」、「×：着け心地が悪い」として表している。
【０１６９】
【表４】
2020200556.tif 000006
【０１７０】
実施例３は、本発明の樹脂ワイヤーを各カップ部の袋状テープ（ワイヤーループ）内に挿入して、各カップ部（カップ支持部）に装着したブラジャーである。
「表４」に示すように、女性Ａの評価は、「アンダーバスト：○」、「カップ部：△（少し硬い）」及び「カップくり部：△（厚い）」であった。女性Ｃの評価は、「アンダーバスト：○」、「カップ部：△」及び「カップくり部：△」であった。
女性Ａにおいて、実施例３のブラジャーＹＥは、カップ部が広がって、バストの腋下側がカップ部から流れることは見られなかったを得た。
女性Ｃにおいて、実施例３のブラジャーＹＥは、バストの腋下側がカップ部から少し流れることを得た。
女性Ａ，Ｃにおいて、実施例３のブラジャーＹＥは、比較例３のブラジャーＹＧと比較して、比較例１と同様に、樹脂ワイヤーの厚み（くり部の厚み等）を感じるものの、装着感が楽であることを得た。
【０１７１】
実施例４は、本発明の樹脂ワイヤーを各カップ部のカップ芯材内に埋設したブラジャーＹＦである。
「表４」に示すように、女性Ａの評価は、「アンダーバスト：○（比較例３に比べて楽であった）」、「カップ部：○」及び「カップくり部：○」であった。女性Ｃの評価は、「アンダーバスト：○」、「カップ部：△」及び「カップくり部：△」であった。
女性Ａにおいて、実施例４のブラジャーＹＦは、装着感が楽で痛くないがカップ部の腋（脇）が少し広がることを得た。このことは、樹脂ワイヤーをカップ部内に埋設する位置を調整することで、腋の広がりを低減できると考えられる。
女性Ｃにおいて、実施例４のブラジャーＹＦは、ワイヤー感がなく楽であることを得た。
【０１７２】
比較例３は、金属ワイヤーを各カップ部の袋状テープ内（ワイヤーループ内）に挿入して、各カップ部（カップ支持部）に装着したブラジャーＹＧである。
「表４」に示すように、女性Ａの評価は、「アンダーバスト：△」、「カップ部：△（少し硬く感じた）」及び「カップくり部：△」であった。女性Ｃの評価は、「アンダーバスト：○」、「カップ部：△（厚くなじまなかった）」及び「カップくり部：△」であった。
女性Ａにおいて、比較例３のブラジャーＹＧは、カップ部が少し硬い気がすることを得た。女性Ｃにおいて、比較例３のブラジャーＹＧは、カップの厚みを感じることを得た。
【０１７３】
比較例４は、本発明の樹脂ワイヤーや金属ワイヤーを各カップ部に装着しないブラジャーＹＨである。
「表４」に示すように、女性Ａの評価は、「アンダーバスト：△（比較例３と同じ着圧感）」、「カップ部：×（不快）」及び「カップくり部：×（若干痛い）」であった。女性Ｃの評価は、「アンダーバスト：△」、「カップ部：×」及び「カップくり部：×」であった。
女性Ａにおいて、比較例４のブラジャーＹＨは、ワイヤーがないのに痛く、バストが落ちることを得た。女性Ｃにおいて、比較例４のブラジャーＹＨは、バストが広がり外を向くことを得た。
【０１７４】
実施例３及び実施例４は、比較例４のブラジャーＹＨ（ワイヤー無し）より、快適な装着感を得ることができる。
【０１７５】
実施例３のブラジャーＹＥ（樹脂ワイヤー）は、比較例３のブラジャーＹＧ（金属ワイヤー）と同等、又は優れた装着感を得ることができる。
このことは、実施例３のブラジャーＹＦは、実施例１のブラジャーＹＡと同様に、第１及び第２のポリウレタン系形状記憶樹脂にて樹脂ワイヤーを形成しており、各女性Ａ，Ｃに装着すると、樹脂ワイヤーの中央下底部は、各女性Ａ，Ｃの体温によって、人体の体（人体の肌、肋骨等）に馴染むように変形することに起因する。
【０１７６】
実施例４のブラジャーＹＦ（カップ部に埋設した樹脂ワイヤー）は、比較例３のブラジャーＹＧと同様な装着感を得ることができる。
このことは、実施例４のブラジャーＹＦは、実施例２のブラジャーＹＢと同様に、第１及び第２のポリウレタン系形状記憶樹脂にて樹脂ワイヤーを形成しており、各女性Ａ，Ｃに装着すると、樹脂ワイヤーの中央下底部は、各女性Ａ，Ｃの体温によって、人体の体（人体の肌、肋骨等）に馴染むように変形することに起因する。
【０１７７】
装着試験１、及び装着試験２において、実施例１及び実施例３のブラジャーＹＡ，ＹＥ（樹脂ワイヤー）、実施例２及び実施例４のブラジャーＹＢ，ＹＦ（カップ部に埋設した樹脂ワイヤー）は、比較例１及び比較例３のブラジャーＹＣ，ＹＧ（金属ワイヤー）と同等、又は優れた装着感を得ることが実証された。
【産業上の利用可能性】
【０１７８】
本発明は、バストを覆うカップ部に装着される樹脂ワイヤーに最適である。
【符号の説明】
【０１７９】
Ｘ  カップ部用樹脂ワイヤー（樹脂ワイヤー）
Ｙ１  カップ部付き衣類（ブラジャー）
Ｙ２  カップ部付き衣類（ブラジャー）
Ｚ１  カップ部（左側のカップ部）
Ｚ２  カップ部（右側のカップ部）
Ｐ１  第１のポリウレタン系形状記憶樹脂
Ｐ２  第２のポリウレタン系形状記憶樹脂
Ｔｇ１  第１ガラス転移温度
Ｔｇ２  第２ガラス転移温度
Ｔｈ１  損失正触：ｔａｎδ１の第１ガラス転移温度
Ｔｈ２  損失正接：ｔａｎδ２の第２ガラス転移温度
ＢＵ  バスト
１  中央下底部
２  身体中心側立部（前中心側立部）
３  腋下側立部
【図１】
2020200556.tif 000007
【図２】
2020200556.tif 000008
【図３】
2020200556.tif 000009
【図４】
2020200556.tif 000010
【図５】
2020200556.tif 000011
【図６】
2020200556.tif 000012
【図７】
2020200556.tif 000013
【図８】
2020200556.tif 000014
【図９】
2020200556.tif 000015
【図１０】
2020200556.tif 000016
【図１１】
2020200556.tif 000017
【図１２】
2020200556.tif 000018
【図１３】
2020200556.tif 000019
【図１４】
2020200556.tif 000020
【図１５】
2020200556.tif 000021
【図１６】
2020200556.tif 000022
【図１７】
2020200556.tif 000023
【図１８】
2020200556.tif 000024
【図１９】
2020200556.tif 000025
【図２０】
2020200556.tif 000026
【図２１】
2020200556.tif 000027
【図２２】
2020200556.tif 000028
【図２３】
2020200556.tif 000029
【図２４】
2020200556.tif 000030
【図２５】
2020200556.tif 000031
【図２６】
2020200556.tif 000032
【図２７】
2020200556.tif 000033
【図２８】
2020200556.tif 000034
【図２９】
2020200556.tif 000035
【図３０】
2020200556.tif 000036
【図３１】
2020200556.tif 000037
【図３２】
2020200556.tif 000038
【図３３】
2020200556.tif 000039
【図３４】
2020200556.tif 000040
【図３５】
2020200556.tif 000041
【図３６】
2020200556.tif 000042
【図３７】
2020200556.tif 000043
【図３８】
2020200556.tif 000044
【図３９】
2020200556.tif 000045
【図４０】
2020200556.tif 000046
【図４１】
2020200556.tif 000047
【図４２】
2020200556.tif 000048
【図４３】
2020200556.tif 000049
【図４４】
2020200556.tif 000050